(57)【要約】  物体側から像側へと順に、前方レンズ群と、開口絞りと、複数のレンズ群で構成される後方レンズ群とからなり、前記前方レンズ群が、最物体側に配置され、負のパワーを有する負レンズ素子と、該負レンズ素子よりも像側に配置され、正のパワーを有する正レンズ素子とを含み、３枚以下のレンズ素子で構成され、無限遠合焦状態から近接物体合焦状態へのフォーカシングの際に光軸に沿って移動せずに固定であり、前記後方レンズ群が、前記フォーカシングの際に光軸に沿って移動するフォーカシングレンズ群と、該フォーカシングの際に光軸に沿って移動せずに固定である固定レンズ群とを有し、以下の条件：０．４＜ｆＷ／ｆＧＦ＜１．５及び０．９＜ｆＷ／Ｔ１＜４．５（ｆＷ：単焦点レンズ系全系の無限遠合焦状態での焦点距離、ｆＧＦ：フォーカシングレンズ群の焦点距離、Ｔ１：前方レンズ群中の負レンズ素子の物体側レンズ面から開口絞りまでの光軸上の距離）を満足する単焦点レンズ系、交換レンズ装置及びカメラシステム。
2012026069.tif 000002
【特許請求の範囲】
【請求項１】
物体側から像側へと順に、前方レンズ群と、開口絞りと、複数のレンズ群で構成される後方レンズ群とからなり、
前記前方レンズ群が、
最物体側に配置され、負のパワーを有する負レンズ素子と、該負レンズ素子よりも像側に配置され、正のパワーを有する正レンズ素子とを含み、
３枚以下のレンズ素子で構成され、
無限遠合焦状態から近接物体合焦状態へのフォーカシングの際に、光軸に沿って移動せずに固定であり、
前記後方レンズ群が、
前記フォーカシングの際に光軸に沿って移動するフォーカシングレンズ群と、該フォーカシングの際に光軸に沿って移動せずに固定である固定レンズ群とを有し、
以下の条件（１）及び（２）を満足する、単焦点レンズ系：
０．４＜ｆＷ／ｆＧＦ＜１．５  ・・・（１）
０．９＜ｆＷ／Ｔ１＜４．５  ・・・（２）
ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離
である。
【請求項２】
以下の条件（３）を満足する、請求項１に記載の単焦点レンズ系：
−０．３＜ｆＷ／ｆＧ１＜０．５  ・・・（３）
ここで、
ｆＷ：単焦点レンズ系全系の無限遠合焦状態での焦点距離、
ｆＧ１：前方レンズ群の焦点距離
である。
【請求項３】
前方レンズ群中の負レンズ素子が、以下の条件（４）を満足する、請求項１に記載の単焦点レンズ系：
０．７＜（Ｒ１１＋Ｒ１２）／（Ｒ１１−Ｒ１２）＜３．５  ・・・（４）
ここで、
Ｒ１１：負レンズ素子の物体側レンズ面の曲率半径、
Ｒ１２：負レンズ素子の像側レンズ面の曲率半径
である。
【請求項４】
フォーカシングレンズ群が、少なくとも１つの非球面を有する、請求項１に記載の単焦点レンズ系。
【請求項５】
前方レンズ群が、少なくとも１つの非球面を有する、請求項１に記載の単焦点レンズ系。
【請求項６】
請求項１に記載の単焦点レンズ系と、
前記単焦点レンズ系が形成する光学像を受光して電気的な画像信号に変換する撮像素子を含むカメラ本体との接続が可能なレンズマウント部と
を備える、交換レンズ装置。
【請求項７】
請求項１に記載の単焦点レンズ系を含む交換レンズ装置と、
前記交換レンズ装置とカメラマウント部を介して着脱可能に接続され、前記単焦点レンズ系が形成する光学像を受光して電気的な画像信号に変換する撮像素子を含むカメラ本体と
を備える、カメラシステム。
【発明の詳細な説明】
【技術分野】
【０００１】
本発明は、単焦点レンズ系、交換レンズ装置及びカメラシステムに関する。特に本発明は、いわゆるレンズ交換式デジタルカメラシステムの撮像レンズ系として好適な単焦点レンズ系、該単焦点レンズ系を用いた交換レンズ装置及びカメラシステムに関する。
【背景技術】
【０００２】
近年、レンズ交換式デジタルカメラシステムが急速に普及している。レンズ交換式デジタルカメラシステム（以下、単に「カメラシステム」ともいう）は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子を有するカメラ本体と、撮像素子の受光面に光学像を形成するための撮像レンズ系を備えた交換レンズ装置とを備える。【０００３】
レンズ交換式デジタルカメラシステムには、コンパクト型デジタルカメラに搭載されるものよりも大型の撮像素子が用いられるので、高感度で高画質な画像を撮影することができる。また、レンズ交換式デジタルカメラシステムには、フォーカシングや撮影後の画像処理が高速で、撮りたい場面に合わせて手軽に交換レンズ装置を取り替えることができる等の利点もある。【０００４】
さらに、単焦点レンズ系を備えた交換レンズ装置は、焦点距離が可変のズームレンズ系を備えた交換レンズ装置と比べると、軽量でコンパクトながら、背景のぼかし効果が大きい写真を撮影することができる点で人気がある。したがって、従来より、例えば特開平０６−１３０２９１号公報及び特開２００４−０２９６４１号公報に開示された単焦点レンズ系のように、レンズ交換式デジタルカメラシステムの撮像レンズ系として利用し得る単焦点レンズ系が種々提案されている。
【先行技術文献】
【特許文献】
【０００５】
【特許文献１】特開平０６−１３０２９１号公報
【特許文献２】特開２００４−０２９６４１号公報
【発明の概要】
【発明が解決しようとする課題】
【０００６】
レンズ交換式デジタルカメラシステムには、上述した様々な利点がある一方で、コンパクト型デジタルカメラと比べると、サイズや重量が大きい。また、フォーカシングを高速でかつ静かに行うためには、レンズ系の前方群を固定し、後方群の一部をフォーカシングモータにて直接駆動させる、ダイレクト駆動式インナーフォーカスの実現が好ましいが、小型化と軽量化との両立が困難である。【０００７】
本発明の目的は、レンズ交換式デジタルカメラシステムに好適に用いることができ、高速かつ静音でのフォーカシングが可能なインナーフォーカスを実現しつつ、小型で軽量な、結像性能に優れた単焦点レンズ系を提供することである。また、本発明の他の目的は、小型で軽量な交換レンズ装置及びカメラシステムを提供することである。
【課題を解決するための手段】
【０００８】
上記目的の１つは、以下の単焦点レンズ系により達成される。すなわち本発明は、
物体側から像側へと順に、前方レンズ群と、開口絞りと、複数のレンズ群で構成される後方レンズ群とからなり、
前記前方レンズ群が、
最物体側に配置され、負のパワーを有する負レンズ素子と、該負レンズ素子よりも像側に配置され、正のパワーを有する正レンズ素子とを含み、
３枚以下のレンズ素子で構成され、
無限遠合焦状態から近接物体合焦状態へのフォーカシングの際に、光軸に沿って移動せずに固定であり、
前記後方レンズ群が、
前記フォーカシングの際に光軸に沿って移動するフォーカシングレンズ群と、該フォーカシングの際に光軸に沿って移動せずに固定である固定レンズ群とを有し、
以下の条件（１）及び（２）：
０．４＜ｆＷ／ｆＧＦ＜１．５  ・・・（１）
０．９＜ｆＷ／Ｔ１＜４．５  ・・・（２）
（ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離
である）
を満足する、単焦点レンズ系
に関する。【０００９】
上記目的の１つは、以下の交換レンズ装置により達成される。すなわち本発明は、
物体側から像側へと順に、前方レンズ群と、開口絞りと、複数のレンズ群で構成される後方レンズ群とからなり、
前記前方レンズ群が、
最物体側に配置され、負のパワーを有する負レンズ素子と、該負レンズ素子よりも像側に配置され、正のパワーを有する正レンズ素子とを含み、
３枚以下のレンズ素子で構成され、
無限遠合焦状態から近接物体合焦状態へのフォーカシングの際に、光軸に沿って移動せずに固定であり、
前記後方レンズ群が、
前記フォーカシングの際に光軸に沿って移動するフォーカシングレンズ群と、該フォーカシングの際に光軸に沿って移動せずに固定である固定レンズ群とを有し、
以下の条件（１）及び（２）：
０．４＜ｆＷ／ｆＧＦ＜１．５  ・・・（１）
０．９＜ｆＷ／Ｔ１＜４．５  ・・・（２）
（ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離
である）
を満足する単焦点レンズ系と、
前記単焦点レンズ系が形成する光学像を受光して電気的な画像信号に変換する撮像素子を含むカメラ本体との接続が可能なレンズマウント部と
を備える、交換レンズ装置
に関する。【００１０】
上記目的の１つは、以下のカメラシステムにより達成される。すなわち本発明は、
物体側から像側へと順に、前方レンズ群と、開口絞りと、複数のレンズ群で構成される後方レンズ群とからなり、
前記前方レンズ群が、
最物体側に配置され、負のパワーを有する負レンズ素子と、該負レンズ素子よりも像側に配置され、正のパワーを有する正レンズ素子とを含み、
３枚以下のレンズ素子で構成され、
無限遠合焦状態から近接物体合焦状態へのフォーカシングの際に、光軸に沿って移動せずに固定であり、
前記後方レンズ群が、
前記フォーカシングの際に光軸に沿って移動するフォーカシングレンズ群と、該フォーカシングの際に光軸に沿って移動せずに固定である固定レンズ群とを有し、
以下の条件（１）及び（２）：
０．４＜ｆＷ／ｆＧＦ＜１．５  ・・・（１）
０．９＜ｆＷ／Ｔ１＜４．５  ・・・（２）
（ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離
である）
を満足する単焦点レンズ系、を含む交換レンズ装置と、
前記交換レンズ装置とカメラマウント部を介して着脱可能に接続され、前記単焦点レンズ系が形成する光学像を受光して電気的な画像信号に変換する撮像素子を含むカメラ本体と
を備える、カメラシステム
に関する。
【発明の効果】
【００１１】
本発明によれば、レンズ交換式デジタルカメラシステムに好適に用いることができ、高速かつ静音でのフォーカシングが可能なインナーフォーカスを実現しつつ、小型で軽量な、結像性能に優れた単焦点レンズ系、該単焦点レンズ系を含む、小型で軽量な交換レンズ装置及びカメラシステムを提供することができる。
【図面の簡単な説明】
【００１２】
【図１】図１は、実施の形態１（実施例１）に係る単焦点レンズ系の無限遠合焦状態を示すレンズ配置図である。
【図２】図２は、実施例１に係る単焦点レンズ系の無限遠合焦状態の縦収差図である。
【図３】図３は、実施の形態２（実施例２）に係る単焦点レンズ系の無限遠合焦状態を示すレンズ配置図である。
【図４】図４は、実施例２に係る単焦点レンズ系の無限遠合焦状態の縦収差図である。
【図５】図５は、実施の形態３（実施例３）に係る単焦点レンズ系の無限遠合焦状態を示すレンズ配置図である。
【図６】図６は、実施例３に係る単焦点レンズ系の無限遠合焦状態の縦収差図である。
【図７】図７は、実施の形態４（実施例４）に係る単焦点レンズ系の無限遠合焦状態を示すレンズ配置図である。
【図８】図８は、実施例４に係る単焦点レンズ系の無限遠合焦状態の縦収差図である。
【図９】図９は、実施の形態５（実施例５）に係る単焦点レンズ系の無限遠合焦状態を示すレンズ配置図である。
【図１０】図１０は、実施例５に係る単焦点レンズ系の無限遠合焦状態の縦収差図である。
【図１１】図１１は、実施の形態６（実施例６）に係る単焦点レンズ系の無限遠合焦状態を示すレンズ配置図である。
【図１２】図１２は、実施例６に係る単焦点レンズ系の無限遠合焦状態の縦収差図である。
【図１３】図１３は、実施の形態７（実施例７）に係る単焦点レンズ系の無限遠合焦状態を示すレンズ配置図である。
【図１４】図１４は、実施例７に係る単焦点レンズ系の無限遠合焦状態の縦収差図である。
【図１５】図１５は、実施の形態８（実施例８）に係る単焦点レンズ系の無限遠合焦状態を示すレンズ配置図である。
【図１６】図１６は、実施例８に係る単焦点レンズ系の無限遠合焦状態の縦収差図である。
【図１７】図１７は、実施の形態９（実施例９）に係る単焦点レンズ系の無限遠合焦状態を示すレンズ配置図である。
【図１８】図１８は、実施例９に係る単焦点レンズ系の無限遠合焦状態の縦収差図である。
【図１９】図１９は、実施の形態１０（実施例１０）に係る単焦点レンズ系の無限遠合焦状態を示すレンズ配置図である。
【図２０】図２０は、実施例１０に係る単焦点レンズ系の無限遠合焦状態の縦収差図である。
【図２１】図２１は、実施の形態１１に係るレンズ交換式デジタルカメラシステムの概略構成図である。
【発明を実施するための形態】
【００１３】
図１、３、５、７、９、１１、１３、１５、１７及び１９は、各々実施の形態１〜１０に係る単焦点レンズ系のレンズ配置図であり、いずれも無限遠合焦状態にある単焦点レンズ系を表している。
【００１４】
各図において、レンズ群に付された矢印は、無限遠合焦状態から近接物体合焦状態へのフォーカシングを表す。すなわち、図１、３、５、７、９及び１１では、後述するフォーカシングレンズ群Ｇ２が無限遠合焦状態から近接物体合焦状態へのフォーカシングの際に移動する方向を示しており、図１３、１５、１７及び１９では、後述するフォーカシングレンズ群Ｇ３が無限遠合焦状態から近接物体合焦状態へのフォーカシングの際に移動する方向を示している。
【００１５】
各図において、特定の面に付されたアスタリスク＊は、該面が非球面であることを示している。また各図において、各レンズ群の符号に付された記号（＋）及び記号（−）は、各レンズ群のパワーの符号に対応する。さらに各図において、最も右側に記載された直線は、像面Ｓの位置を表す。
【００１６】
実施の形態１〜１０に係る単焦点レンズ系は、物体側から像側へと順に、正のパワー又は負のパワーを有する前方レンズ群Ｇ１と、開口絞りＡと、後方レンズ群とを備える。
【００１７】
（実施の形態１）
図１に示すように、実施の形態１に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００１８】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００１９】
前記フォーカシングレンズ群Ｇ２は、物体側から像側へと順に、像側に凸面を向けた負メニスカス形状の第３レンズ素子Ｌ３と、像側に凸面を向けた正メニスカス形状の第４レンズ素子Ｌ４と、像側に強い凸面を向けた両凸形状の第５レンズ素子Ｌ５とからなる。第３レンズ素子Ｌ３と第４レンズ素子Ｌ４とは互いに接合されており、後述する対応数値実施例における面データでは、これら第３レンズ素子Ｌ３と第４レンズ素子Ｌ４との間の接着剤層に面番号８が付与されている。第５レンズ素子Ｌ５は、その両面が非球面である。
【００２０】
前記固定レンズ群Ｇ３は、像側に強い凹面を向けた両凹形状の第６レンズ素子Ｌ６のみからなる。第６レンズ素子Ｌ６は、その像側面が非球面である。
【００２１】
なお、開口絞りＡの像側にはフレアカッター絞りが設けられており、後述する対応数値実施例における面データでは、該フレアカッター絞りに面番号６が付与されている。
【００２２】
（実施の形態２）
図３に示すように、実施の形態２に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた正メニスカス形状の第２レンズ素子Ｌ２とからなる。第２レンズ素子Ｌ２は、その両面が非球面である。
【００２３】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００２４】
前記フォーカシングレンズ群Ｇ２は、物体側から像側へと順に、物体側に強い凹面を向けた両凹形状の第３レンズ素子Ｌ３と、像側に強い凸面を向けた両凸形状の第４レンズ素子Ｌ４と、像側に強い凸面を向けた両凸形状の第５レンズ素子Ｌ５とからなる。第３レンズ素子Ｌ３と第４レンズ素子Ｌ４とは互いに接合されている。第５レンズ素子Ｌ５は、その両面が非球面である。
【００２５】
前記固定レンズ群Ｇ３は、像側に強い凹面を向けた両凹形状の第６レンズ素子Ｌ６のみからなる。第６レンズ素子Ｌ６は、その物体側面が非球面である。
【００２６】
なお、開口絞りＡの像側にはフレアカッター絞りが設けられており、後述する対応数値実施例における面データでは、該フレアカッター絞りに面番号６が付与されている。
【００２７】
（実施の形態３）
図５に示すように、実施の形態３に係る単焦点レンズ系において、前方レンズ群Ｇ１は、無限遠合焦状態から近接物体合焦状態へのフォーカシングの際に光軸に沿って移動せずに固定であり、物体側から像側へと順に、像側に強い凹面を向けた両凹形状の第１レンズ素子Ｌ１と、物体側に強い凸面を向けた両凸形状の第２レンズ素子Ｌ２とからなる。第１レンズ素子Ｌ１は、その両面が非球面である。
【００２８】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００２９】
前記フォーカシングレンズ群Ｇ２は、物体側から像側へと順に、像側に凸面を向けた負メニスカス形状の第３レンズ素子Ｌ３と、像側に凸面を向けた正メニスカス形状の第４レンズ素子Ｌ４と、像側に強い凸面を向けた両凸形状の第５レンズ素子Ｌ５とからなる。第３レンズ素子Ｌ３と第４レンズ素子Ｌ４とは互いに接合されており、後述する対応数値実施例における面データでは、これら第３レンズ素子Ｌ３と第４レンズ素子Ｌ４との間の接着剤層に面番号８が付与されている。第５レンズ素子Ｌ５は、その両面が非球面である。
【００３０】
前記固定レンズ群Ｇ３は、物体側に凸面を向けた負メニスカス形状の第６レンズ素子Ｌ６のみからなる。第６レンズ素子Ｌ６は、その像側面が非球面である。
【００３１】
なお、開口絞りＡの像側にはフレアカッター絞りが設けられており、後述する対応数値実施例における面データでは、該フレアカッター絞りに面番号６が付与されている。
【００３２】
（実施の形態４）
図７に示すように、実施の形態４に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００３３】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００３４】
前記フォーカシングレンズ群Ｇ２は、物体側から像側へと順に、像側に凸面を向けた負メニスカス形状の第３レンズ素子Ｌ３と、像側に凸面を向けた正メニスカス形状の第４レンズ素子Ｌ４と、像側に強い凸面を向けた両凸形状の第５レンズ素子Ｌ５とからなる。第３レンズ素子Ｌ３と第４レンズ素子Ｌ４とは互いに接合されており、後述する対応数値実施例における面データでは、これら第３レンズ素子Ｌ３と第４レンズ素子Ｌ４との間の接着剤層に面番号８が付与されている。第５レンズ素子Ｌ５は、その両面が非球面である。
【００３５】
前記固定レンズ群Ｇ３は、像側に凸面を向けた負メニスカス形状の第６レンズ素子Ｌ６のみからなる。第６レンズ素子Ｌ６は、その物体側面が非球面である。
【００３６】
なお、開口絞りＡの像側にはフレアカッター絞りが設けられており、後述する対応数値実施例における面データでは、該フレアカッター絞りに面番号６が付与されている。
【００３７】
（実施の形態５）
図９に示すように、実施の形態５に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００３８】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００３９】
前記フォーカシングレンズ群Ｇ２は、物体側から像側へと順に、物体側に凸面を向けた正メニスカス形状の第３レンズ素子Ｌ３と、像側に凸面を向けた負メニスカス形状の第４レンズ素子Ｌ４と、像側に凸面を向けた正メニスカス形状の第５レンズ素子Ｌ５と、像側に強い凸面を向けた両凸形状の第６レンズ素子Ｌ６とからなる。第４レンズ素子Ｌ４と第５レンズ素子Ｌ５とは互いに接合されており、後述する対応数値実施例における面データでは、これら第４レンズ素子Ｌ４と第５レンズ素子Ｌ５との間の接着剤層に面番号１０が付与されている。第６レンズ素子Ｌ６は、その両面が非球面である。
【００４０】
前記固定レンズ群Ｇ３は、像側に凸面を向けた負メニスカス形状の第７レンズ素子Ｌ７のみからなる。第７レンズ素子Ｌ７は、その物体側面が非球面である。
【００４１】
なお、開口絞りＡの像側にはフレアカッター絞りが設けられており、後述する対応数値実施例における面データでは、該フレアカッター絞りに面番号６が付与されている。
【００４２】
（実施の形態６）
図１１に示すように、実施の形態６に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、像側に凸面を向けた負メニスカス形状の第２レンズ素子Ｌ２と、像側に強い凸面を向けた両凸形状の第３レンズ素子Ｌ３とからなる。第１レンズ素子Ｌ１は、その像側面が非球面であり、第３レンズ素子Ｌ３は、その像側面が非球面である。
【００４３】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００４４】
前記フォーカシングレンズ群Ｇ２は、物体側から像側へと順に、像側に凸面を向けた負メニスカス形状の第４レンズ素子Ｌ４と、像側に凸面を向けた正メニスカス形状の第５レンズ素子Ｌ５と、像側に強い凸面を向けた両凸形状の第６レンズ素子Ｌ６とからなる。第４レンズ素子Ｌ４と第５レンズ素子Ｌ５とは互いに接合されており、後述する対応数値実施例における面データでは、これら第４レンズ素子Ｌ４と第５レンズ素子Ｌ５との間の接着剤層に面番号１０が付与されている。第６レンズ素子Ｌ６は、その像側面が非球面である。
【００４５】
前記固定レンズ群Ｇ３は、像側に凸面を向けた負メニスカス形状の第７レンズ素子Ｌ７のみからなる。
【００４６】
なお、開口絞りＡの像側にはフレアカッター絞りが設けられており、後述する対応数値実施例における面データでは、該フレアカッター絞りに面番号８が付与されている。
【００４７】
（実施の形態７）
図１３に示すように、実施の形態７に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた負メニスカス形状の第２レンズ素子Ｌ２と、物体側に強い凸面を向けた両凸形状の第３レンズ素子Ｌ３とからなる。第２レンズ素子Ｌ２と第３レンズ素子Ｌ３とは互いに接合されており、後述する対応数値実施例における面データでは、これら第２レンズ素子Ｌ２と第３レンズ素子Ｌ３との間の接着剤層に面番号４が付与されている。第１レンズ素子Ｌ１は、その像側面が非球面である。
【００４８】
後方レンズ群は、物体側から像側へと順に、正のパワーを有し、無限遠合焦状態から近接物体合焦状態へのフォーカシングの際に光軸に沿って移動せずに固定である固定レンズ群Ｇ２と、正のパワーを有し、該フォーカシングの際に光軸に沿って物体側へ移動してフォーカシングを行うフォーカシングレンズ群Ｇ３と、負のパワーを有し、該フォーカシングの際に光軸に沿って移動せずに固定である固定レンズ群Ｇ４とからなる。
【００４９】
前記固定レンズ群Ｇ２は、像側に凸面を向けた正メニスカス形状の第４レンズ素子Ｌ４のみからなる。
【００５０】
前記フォーカシングレンズ群Ｇ３は、物体側から像側へと順に、像側に凸面を向けた負メニスカス形状の第５レンズ素子Ｌ５と、像側に凸面を向けた正メニスカス形状の第６レンズ素子Ｌ６と、像側に凸面を向けた正メニスカス形状の第７レンズ素子Ｌ７とからなる。第５レンズ素子Ｌ５と第６レンズ素子Ｌ６とは互いに接合されており、後述する対応数値実施例における面データでは、これら第５レンズ素子Ｌ５と第６レンズ素子Ｌ６との間の接着剤層に面番号１２が付与されている。第７レンズ素子Ｌ７は、その両面が非球面である。
【００５１】
前記固定レンズ群Ｇ４は、像側に凸面を向けた負メニスカス形状の第８レンズ素子Ｌ８のみからなる。
【００５２】
なお、開口絞りＡの像側にはフレアカッター絞りが２つ設けられており、後述する対応数値実施例における面データでは、これらのフレアカッター絞りに面番号１０及び１９が付与されている。
【００５３】
（実施の形態８）
図１５に示すように、実施の形態８に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた負メニスカス形状の第２レンズ素子Ｌ２と、物体側に強い凸面を向けた両凸形状の第３レンズ素子Ｌ３とからなる。第２レンズ素子Ｌ２と第３レンズ素子Ｌ３とは互いに接合されており、後述する対応数値実施例における面データでは、これら第２レンズ素子Ｌ２と第３レンズ素子Ｌ３との間の接着剤層に面番号４が付与されている。第１レンズ素子Ｌ１は、その像側面が非球面である。
【００５４】
後方レンズ群は、物体側から像側へと順に、正のパワーを有し、無限遠合焦状態から近接物体合焦状態へのフォーカシングの際に光軸に沿って移動せずに固定である固定レンズ群Ｇ２と、正のパワーを有し、該フォーカシングの際に光軸に沿って物体側へ移動してフォーカシングを行うフォーカシングレンズ群Ｇ３とからなる。
【００５５】
前記固定レンズ群Ｇ２は、像側に凸面を向けた正メニスカス形状の第４レンズ素子Ｌ４のみからなる。
【００５６】
前記フォーカシングレンズ群Ｇ３は、物体側から像側へと順に、物体側に強い凹面を向けた両凹形状の第５レンズ素子Ｌ５と、像側に強い凸面を向けた両凸形状の第６レンズ素子Ｌ６と、像側に強い凸面を向けた両凸形状の第７レンズ素子Ｌ７とからなる。第５レンズ素子Ｌ５と第６レンズ素子Ｌ６とは互いに接合されており、後述する対応数値実施例における面データでは、これら第５レンズ素子Ｌ５と第６レンズ素子Ｌ６との間の接着剤層に面番号１２が付与されている。第７レンズ素子Ｌ７は、その像側面が非球面である。
【００５７】
なお、開口絞りＡの像側にはフレアカッター絞りが設けられており、後述する対応数値実施例における面データでは、該フレアカッター絞りに面番号１０が付与されている。
【００５８】
（実施の形態９）
図１７に示すように、実施の形態９に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、像側に強い凹面を向けた両凹形状の第２レンズ素子Ｌ２と、物体側に強い凸面を向けた両凸形状の第３レンズ素子Ｌ３とからなる。第２レンズ素子Ｌ２と第３レンズ素子Ｌ３とは互いに接合されている。
【００５９】
後方レンズ群は、物体側から像側へと順に、正のパワーを有し、無限遠合焦状態から近接物体合焦状態へのフォーカシングの際に光軸に沿って移動せずに固定である固定レンズ群Ｇ２と、正のパワーを有し、該フォーカシングの際に光軸に沿って物体側へ移動してフォーカシングを行うフォーカシングレンズ群Ｇ３と、負のパワーを有し、該フォーカシングの際に光軸に沿って移動せずに固定である固定レンズ群Ｇ４とからなる。
【００６０】
前記固定レンズ群Ｇ２は、物体側から像側へと順に、像側に凸面を向けた負メニスカス形状の第４レンズ素子Ｌ４と、像側に凸面を向けた正メニスカス形状の第５レンズ素子Ｌ５とからなる。第４レンズ素子Ｌ４と第５レンズ素子Ｌ５とは互いに接合されている。第５レンズ素子Ｌ５は、その像側面が非球面である。
【００６１】
前記フォーカシングレンズ群Ｇ３は、像側に強い凸面を向けた両凸形状の第６レンズ素子Ｌ６のみからなる。第６レンズ素子Ｌ６は、その両面が非球面である。
【００６２】
前記固定レンズ群Ｇ４は、像側に凸面を向けた負メニスカス形状の第７レンズ素子Ｌ７のみからなる。第７レンズ素子Ｌ７は、その物体側面が非球面である。
【００６３】
なお、開口絞りＡの像側にはフレアカッター絞りが設けられており、後述する対応数値実施例における面データでは、該フレアカッター絞りに面番号７が付与されている。
【００６４】
（実施の形態１０）
図１９に示すように、実施の形態１０に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた負メニスカス形状の第２レンズ素子Ｌ２と、物体側に強い凸面を向けた両凸形状の第３レンズ素子Ｌ３とからなる。
【００６５】
後方レンズ群は、物体側から像側へと順に、正のパワーを有し、無限遠合焦状態から近接物体合焦状態へのフォーカシングの際に光軸に沿って移動せずに固定である固定レンズ群Ｇ２と、正のパワーを有し、該フォーカシングの際に光軸に沿って物体側へ移動してフォーカシングを行うフォーカシングレンズ群Ｇ３と、負のパワーを有し、該フォーカシングの際に光軸に沿って移動せずに固定である固定レンズ群Ｇ４とからなる。
【００６６】
前記固定レンズ群Ｇ２は、物体側から像側へと順に、像側に凸面を向けた負メニスカス形状の第４レンズ素子Ｌ４と、像側に凸面を向けた正メニスカス形状の第５レンズ素子Ｌ５とからなる。第４レンズ素子Ｌ４と第５レンズ素子Ｌ５とは互いに接合されており、後述する対応数値実施例における面データでは、これら第４レンズ素子Ｌ４と第５レンズ素子Ｌ５との間の接着剤層に面番号９が付与されている。第５レンズ素子Ｌ５は、その像側面が非球面である。
【００６７】
前記フォーカシングレンズ群Ｇ３は、像側に強い凸面を向けた両凸形状の第６レンズ素子Ｌ６のみからなる。第６レンズ素子Ｌ６は、その両面が非球面である。
【００６８】
前記固定レンズ群Ｇ４は、物体側に凹面を向けた平凹形状の第７レンズ素子Ｌ７のみからなる。第７レンズ素子Ｌ７は、その物体側面が非球面である。
【００６９】
以下、例えば実施の形態１〜１０に係る単焦点レンズ系のごとき単焦点レンズ系が満足することが好ましい条件を説明する。なお、各実施の形態に係る単焦点レンズ系に対して、複数の好ましい条件が規定されるが、これら複数の条件すべてを満足する単焦点レンズ系の構成が最も望ましい。しかしながら、個別の条件を満足することにより、それぞれ対応する効果を奏する単焦点レンズ系を得ることも可能である。
【００７０】
例えば実施の形態１〜１０に係る単焦点レンズ系のように、物体側から像側へと順に、前方レンズ群と、開口絞りと、複数のレンズ群で構成される後方レンズ群とからなり、前記前方レンズ群が、最物体側に配置され、負のパワーを有する負レンズ素子と、該負レンズ素子よりも像側に配置され、正のパワーを有する正レンズ素子とを含み、３枚以下のレンズ素子で構成され、無限遠合焦状態から近接物体合焦状態へのフォーカシングの際に、光軸に沿って移動せずに固定であり、前記後方レンズ群が、前記フォーカシングの際に光軸に沿って移動するフォーカシングレンズ群と、該フォーカシングの際に光軸に沿って移動せずに固定である固定レンズ群とを有する（以下、このレンズ構成を、実施の形態の基本構成という）単焦点レンズ系は、以下の条件（１）及び（２）を満足する。
０．４＜ｆＷ／ｆＧＦ＜１．５  ・・・（１）
０．９＜ｆＷ／Ｔ１＜４．５  ・・・（２）
ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離
である。
【００７１】
前記条件（１）は、単焦点レンズ系全系の焦点距離と、フォーカシングレンズ群の焦点距離との関係を規定する条件である。条件（１）の上限を上回ると、フォーカシングレンズ群のパワーが強くなり、製造誤差に対する光学性能の劣化敏感度が高くなる。その結果、製造難易度が上昇し、製造コストが高くなる。逆に条件（１）の下限を下回ると、フォーカシングレンズ群の繰り出し量が大きくなり、レンズ系の全長が長くなる。
【００７２】
なお、以下の条件（１−１）’及び（１−１）’’の少なくとも１つを満足することにより、前記効果をさらに奏功させることができる。
０．６０＜ｆＷ／ｆＧＦ  ・・・（１−１）’
ｆＷ／ｆＧＦ＜１．３５  ・・・（１−１）’’
【００７３】
さらに、以下の条件（１−２）’及び（１−２）’’の少なくとも１つを満足することにより、前記効果をより一層奏功させることができる。
０．８＜ｆＷ／ｆＧＦ  ・・・（１−２）’
ｆＷ／ｆＧＦ＜１．２  ・・・（１−２）’’
【００７４】
前記条件（２）は、単焦点レンズ系全系の焦点距離と、単焦点レンズ系全系の最物体側のレンズ面から開口絞りまでの光軸上の距離との関係を規定する条件である。条件（２）の上限を上回ると、前方レンズ群の厚さが不足し、像周辺部の像面湾曲及びコマ収差の補正が不充分となる。逆に条件（２）の下限を下回ると、レンズ系の全長が長くなり、単焦点レンズ系の小型化が実現されない。
【００７５】
なお、以下の条件（２−１）’及び（２−１）’’の少なくとも１つを満足することにより、前記効果をさらに奏功させることができる。
１．２＜ｆＷ／Ｔ１  ・・・（２−１）’
ｆＷ／Ｔ１＜３．５  ・・・（２−１）’’
【００７６】
さらに、以下の条件（２−２）’及び（２−２）’’の少なくとも１つを満足することにより、前記効果をより一層奏功させることができる。
１．５＜ｆＷ／Ｔ１  ・・・（２−２）’
ｆＷ／Ｔ１＜２．５  ・・・（２−２）’’
【００７７】
例えば実施の形態１〜１０に係る単焦点レンズ系のように、基本構成を有する単焦点レンズ系は、以下の条件（３）を満足することが好ましい。
−０．３＜ｆＷ／ｆＧ１＜０．５  ・・・（３）
ここで、
ｆＷ：単焦点レンズ系全系の無限遠合焦状態での焦点距離、
ｆＧ１：前方レンズ群の焦点距離
である。
【００７８】
前記条件（３）は、単焦点レンズ系全系の焦点距離と、前方レンズ群の焦点距離との関係を規定する条件である。条件（３）の上限を上回ると、前方レンズ群の外径が大きくなって像周辺部のコマ収差の補正が困難となり、またレンズ系の全長が長くなる恐れがある。逆に条件（３）の下限を下回ると、樽型の歪曲収差が強く発生するほか、強いパワーのフォーカシングレンズ群が必要となり、製造誤差に対する敏感度が上昇する恐れがある。
【００７９】
なお、以下の条件（３−１）’及び（３−１）’’の少なくとも１つを満足することにより、前記効果をさらに奏功させることができる。
−０．２＜ｆＷ／ｆＧ１  ・・・（３−１）’
ｆＷ／ｆＧ１＜０．３    ・・・（３−１）’’
【００８０】
さらに、以下の条件（３−２）’及び（３−２）’’の少なくとも１つを満足することにより、前記効果をより一層奏功させることができる。
−０．１０＜ｆＷ／ｆＧ１  ・・・（３−２）’
ｆＷ／ｆＧ１＜０．１５    ・・・（３−２）’’
【００８１】
例えば実施の形態１〜１０に係る単焦点レンズ系のように、基本構成を有する単焦点レンズ系は、前方レンズ群中の最物体側に配置された負レンズ素子が、以下の条件（４）を満足することが好ましい。
０．７＜（Ｒ１１＋Ｒ１２）／（Ｒ１１−Ｒ１２）＜３．５  ・・・（４）
ここで、
Ｒ１１：負レンズ素子の物体側レンズ面の曲率半径、
Ｒ１２：負レンズ素子の像側レンズ面の曲率半径
である。
【００８２】
前記条件（４）は、前方レンズ群中の最物体側、すなわち単焦点レンズ系の最物体側に配置された負レンズ素子の物体側レンズ面の曲率半径と、該負レンズ素子の像側レンズ面の曲率半径との関係を規定する条件である。条件（４）の上限を上回ると、像周辺部のコマ収差の補正が不充分となり、またレンズ系の全長が長くなる恐れがある。逆に条件（４）の下限を下回ると、樽型の歪曲収差の補正が不充分となる恐れがある。
【００８３】
なお、以下の条件（４−１）’及び（４−１）’’の少なくとも１つを満足することにより、前記効果をさらに奏功させることができる。
０．８＜（Ｒ１１＋Ｒ１２）／（Ｒ１１−Ｒ１２）  ・・・（４−１）’
（Ｒ１１＋Ｒ１２）／（Ｒ１１−Ｒ１２）＜２．６  ・・・（４−１）’’
【００８４】
さらに、以下の条件（４−２）’及び（４−２）’’の少なくとも１つを満足することにより、前記効果をより一層奏功させることができる。
０．９＜（Ｒ１１＋Ｒ１２）／（Ｒ１１−Ｒ１２）  ・・・（４−２）’
（Ｒ１１＋Ｒ１２）／（Ｒ１１−Ｒ１２）＜１．７  ・・・（４−２）’’
【００８５】
実施の形態１〜１０に係る単焦点レンズ系において、フォーカシングレンズ群が少なくとも１つの非球面を有しているので、球面収差及びコマ収差を、無限遠物点から近接物点にかけて良好に補正することができ、画面中心付近の性能を向上させている。
【００８６】
実施の形態１〜８に係る単焦点レンズ系において、前方レンズ群が少なくとも１つの非球面を有しているので、該前方レンズ群の光軸方向の厚みを小さくしながら、像周辺部の非点収差を良好に補正することができる。
【００８７】
なお、実施の形態１〜１０に係る単焦点レンズ系を構成している各レンズ群は、入射光線を屈折により偏向させる屈折型レンズ素子（すなわち、異なる屈折率を有する媒質同士の界面で偏向が行われるタイプのレンズ素子）のみで構成してもよいが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【００８８】
また、実施の形態１〜１０では明記していないが、像面Ｓとレンズ系との間に、光学的ローパスフィルタや撮像素子のフェースプレート等の実質的なパワーを有さない平行平板や、撮像素子の開口効率を上昇させるためのマイクロレンズアレイが設けられていてもよい。
【００８９】
（実施の形態１１）
図２１は、実施の形態１１に係るレンズ交換式デジタルカメラシステムの概略構成図である。
【００９０】
本実施の形態１１に係るレンズ交換式デジタルカメラシステム１００は、カメラ本体１０１と、カメラ本体１０１に着脱自在に接続される交換レンズ装置２０１とを備える。
【００９１】
カメラ本体１０１は、交換レンズ装置２０１の単焦点レンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜１０いずれかに係る単焦点レンズ系２０２と、単焦点レンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図２１においては、単焦点レンズ系２０２として実施の形態１に係る単焦点レンズ系を用いた場合を図示している。
【００９２】
本実施の形態１１では、実施の形態１〜１０いずれかに係る単焦点レンズ系２０２を用いているので、コンパクトで結像性能に優れた交換レンズ装置を低コストで実現することができる。また、本実施の形態１１に係るカメラシステム１００全体の小型化及び低コスト化も達成することができる。
【００９３】
以下、実施の形態１〜１０に係る単焦点レンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、νｄはｄ線に対するアッベ数である。また、各数値実施例において、＊印を付した面は非球面であり、非球面形状は次式で定義している。
【数１】
2012026069.tif 000003
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。
【００９４】
図２、４、６、８、１０、１２、１４、１６、１８及び２０は、各々数値実施例１〜１０に係る単焦点レンズ系の無限遠合焦状態の縦収差図である。
【００９５】
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００９６】
（数値実施例１）
数値実施例１の単焦点レンズ系は、図１に示した実施の形態１に対応する。単焦点レンズ系の面データを表１に、非球面データを表２に、各種データを表３に示す。
【００９７】
表  １（面データ）
面番号         r           d           nd         vd     有効径     
物面             ∞                                               
1*       150.13690     0.70000     1.58332    59.1     6.069     
2*         9.13930     1.58250                         5.160     
3         14.91730     1.73000     1.91082    35.2     4.829     
4        408.02380     1.86300                         5.036     
5(絞り)           ∞     3.28380                         3.110     
6               ∞     1.64960                         3.100     
7         -5.73120     0.50000     1.84666    23.8     3.396     
8        -35.00000     0.01000     1.56732    42.8     4.346     
9        -35.00000     2.83000     1.88300    40.8     4.353     
10         -8.35190     0.20000                         5.227     
11*        25.08330     4.58000     1.58250    59.4     7.073     
12*       -10.86000     1.45000                         7.371     
13       -611.69690     0.80000     1.68400    31.3     7.490     
14*        44.68010        (BF)                         7.526     
像面             ∞                                               
【００９８】
表  ２（非球面データ）
第1面
K= 0.00000E+00, A4=-3.85000E-05, A6= 1.82000E-06, A8=-9.53000E-08 
A10= 1.88000E-09, A12=-1.12000E-11 
第2面
K= 0.00000E+00, A4=-1.30000E-04, A6=-6.84000E-07, A8=-3.09000E-08 
A10=-2.92000E-09, A12= 9.26000E-11 
第11面
K= 0.00000E+00, A4=-1.88000E-05, A6=-7.59000E-07, A8= 2.03000E-08 
A10=-1.45000E-10, A12= 0.00000E+00 
第12面
K= 0.00000E+00, A4= 2.69000E-04, A6=-4.50000E-06, A8= 1.05000E-07 
A10=-1.05000E-09, A12= 4.67000E-12 
第14面
K= 0.00000E+00, A4=-9.05000E-05, A6= 4.19000E-06, A8=-8.41000E-08 
A10= 9.16000E-10, A12=-4.09000E-12 
【００９９】
表  ３（各種データ）
焦点距離      14.5457
Ｆナンバー     2.52134
画角        37.8597
像高        10.2000
レンズ全長     37.3188
ＢＦ        16.1399
【０１００】
（数値実施例２）
数値実施例２の単焦点レンズ系は、図３に示した実施の形態２に対応する。単焦点レンズ系の面データを表４に、非球面データを表５に、各種データを表６に示す。
【０１０１】
表  ４（面データ）
面番号         r           d           nd         vd     有効径     
物面             ∞                                               
1         51.95710     0.50000     1.48749    70.4     8.440     
2          9.15460     3.31060                         6.897     
3*        15.40980     2.62080     1.80825    40.9     6.410     
4*        68.26990     3.98100                         6.249     
5(絞り)           ∞     3.56320                         3.123     
6               ∞     1.57460                         3.188     
7         -6.12570     0.50000     1.75211    25.0     3.462     
8        229.16700     2.75880     1.88300    40.8     4.557     
9        -10.18170     0.20000                         5.308     
10*        32.73300     4.21140     1.66547    55.2     6.772     
11*       -11.63770     2.42630                         7.126     
12*      -286.45650     0.90000     1.68400    31.3     7.472     
13         53.16900        (BF)                         7.416     
像面             ∞                                               
【０１０２】
表  ５（非球面データ）
第3面
K= 0.00000E+00, A4= 1.99000E-05, A6= 4.70000E-06, A8=-1.98000E-07 
A10= 3.95000E-09, A12=-3.40000E-11, A14= 0.00000E+00 
第4面
K= 0.00000E+00, A4=-4.01000E-05, A6= 1.06000E-05, A8=-8.67000E-07 
A10= 3.37000E-08, A12=-6.64000E-10, A14= 5.11000E-12 
第10面
K= 0.00000E+00, A4=-2.71000E-05, A6= 9.65000E-07, A8=-2.36000E-08 
A10= 1.99000E-10, A12= 0.00000E+00, A14= 0.00000E+00 
第11面
K= 0.00000E+00, A4= 1.72000E-04, A6=-7.87000E-07, A8= 3.15000E-08 
A10=-5.60000E-10, A12= 4.20000E-12, A14= 0.00000E+00 
第12面
K= 0.00000E+00, A4= 3.96000E-05, A6=-1.24000E-06, A8= 1.41000E-08 
A10=-8.76000E-11, A12= 2.33000E-13, A14= 0.00000E+00 
【０１０３】
表  ６（各種データ）
焦点距離      14.4998
Ｆナンバー     2.58001
画角        37.2105
像高        10.0000
レンズ全長     41.6988
ＢＦ        15.1521
【０１０４】
（数値実施例３）
数値実施例３の単焦点レンズ系は、図５に示した実施の形態３に対応する。単焦点レンズ系の面データを表７に、非球面データを表８に、各種データを表９に示す。
【０１０５】
表  ７（面データ）
面番号         r           d           nd         vd     有効径     
物面             ∞                                               
1*      -303.92490     0.70000     1.58332    59.1     5.970     
2*        12.88600     2.34940                         5.237     
3         21.67310     1.47070     1.90366    31.3     4.500     
4       -106.29270     1.35180                         4.979     
5(絞り)           ∞     3.46350                         3.098     
6               ∞     1.74370                         3.082     
7         -5.56740     0.50000     1.75211    25.0     3.416     
8        -48.00860     0.01000     1.56732    42.8     4.453     
9        -48.00860     2.81780     1.80420    46.5     4.460     
10         -8.60140     0.20000                         5.287     
11*        35.42730     4.30000     1.66547    55.2     6.895     
12*       -10.81740     1.60000                         7.239     
13        244.83460     0.80000     1.68400    31.3     7.333     
14*        30.30140        (BF)                         7.336     
像面             ∞                                               
【０１０６】
表  ８（非球面データ）
第1面
K= 0.00000E+00, A4= 5.18000E-05, A6=-6.56000E-06, A8= 2.59000E-07 
A10=-5.38000E-09, A12= 4.54000E-11 
第2面
K= 0.00000E+00, A4= 3.56000E-05, A6=-1.33000E-05, A8= 6.63000E-07 
A10=-1.85000E-08, A12= 2.11000E-10 
第11面
K= 0.00000E+00, A4=-2.67000E-05, A6=-5.47000E-07, A8= 1.31000E-08 
A10=-7.08000E-11, A12= 0.00000E+00 
第12面
K= 0.00000E+00, A4= 2.16000E-04, A6=-3.18000E-06, A8= 7.85000E-08 
A10=-8.44000E-10, A12= 4.55000E-12 
第14面
K= 0.00000E+00, A4=-7.15000E-05, A6= 3.59000E-06, A8=-7.29000E-08 
A10= 7.96000E-10, A12=-3.52000E-12 
【０１０７】
表  ９（各種データ）
焦点距離      14.5502
Ｆナンバー     2.58104
画角        37.1364
像高        10.0000
レンズ全長     37.1796
ＢＦ        15.8727
【０１０８】
（数値実施例４）
数値実施例４の単焦点レンズ系は、図７に示した実施の形態４に対応する。単焦点レンズ系の面データを表１０に、非球面データを表１１に、各種データを表１２に示す。
【０１０９】
表  １０（面データ）
面番号         r           d           nd         vd     有効径     
物面             ∞                                               
1*        41.90990     0.70000     1.60602    57.4     7.016     
2*         8.23160     3.24320                         5.848     
3         12.63910     2.01080     1.80450    39.6     5.110     
4        112.86900     2.01980                         4.716     
5(絞り)           ∞     3.68080                         3.250     
6               ∞     1.69840                         3.250     
7         -5.76040     0.45000     1.74077    27.8     3.483     
8        -87.78370     0.01000     1.56732    42.8     4.346     
9        -87.78370     2.65120     1.80420    46.5     4.352     
10         -8.16850     0.20000                         5.027     
11*        24.50540     4.40000     1.60602    57.4     6.568     
12*       -11.06420     1.88940                         6.900     
13*       -19.98820     0.70000     1.68400    31.3     6.955     
14       -105.11770        (BF)                         7.203     
像面             ∞                                               
【０１１０】
表  １１（非球面データ）
第1面
K= 0.00000E+00, A4=-1.85000E-04, A6= 4.42000E-06, A8=-5.27000E-08 
A10= 2.86000E-10 
第2面
K= 0.00000E+00, A4=-2.87000E-04, A6=-3.56000E-07, A8= 6.41000E-08 
A10=-1.14000E-09 
第11面
K= 0.00000E+00, A4=-6.37000E-05, A6= 3.64000E-07, A8=-2.81000E-09 
A10= 3.77000E-11 
第12面
K= 0.00000E+00, A4= 1.47000E-04, A6= 8.71000E-07, A8=-1.25000E-08 
A10= 1.53000E-10 
第13面
K= 2.83000E+00, A4= 5.75000E-05, A6= 7.16000E-07, A8=-7.82000E-09 
A10= 8.78000E-11 
【０１１１】
表  １２（各種データ）
焦点距離      14.4499
Ｆナンバー     2.58048
画角        37.2974
像高        10.0000
レンズ全長     38.6988
ＢＦ        15.0452
【０１１２】
（数値実施例５）
数値実施例５の単焦点レンズ系は、図９に示した実施の形態５に対応する。単焦点レンズ系の面データを表１３に、非球面データを表１４に、各種データを表１５に示す。
【０１１３】
表  １３（面データ）
面番号         r           d           nd         vd     有効径     
物面             ∞                                               
1*        40.00000     0.70000     1.60602    57.4     6.535     
2*         7.04530     2.53080                         5.259     
3         10.60920     1.63120     1.83400    37.3     4.765     
4         23.14870     2.21040                         4.390     
5(絞り)           ∞     2.10000                         3.281     
6               ∞     1.75670                         3.400     
7         11.27990     1.81650     1.83400    37.3     3.612     
8         18.92380     2.59870                         3.769     
9         -7.65990     0.45000     1.80351    25.0     4.153     
10       -307.35450     0.01000     1.56732    42.8     5.013     
11       -307.35450     2.96380     1.80300    46.5     5.019     
12         -9.09880     0.20000                         5.595     
13*        23.00030     2.92800     1.60602    57.4     6.624     
14*       -18.26310     1.68040                         6.800     
15*       -19.14590     0.70000     1.68400    31.3     6.946     
16        -47.67650        (BF)                         7.199     
像面             ∞                                               
【０１１４】
表  １４（非球面データ）
第1面
K= 0.00000E+00, A4=-2.18000E-04, A6= 8.96000E-06, A8=-1.17000E-07 
A10= 5.89000E-10 
第2面
K= 0.00000E+00, A4=-3.26000E-04, A6=-2.44000E-06, A8= 3.94000E-07 
A10=-7.49000E-09 
第13面
K= 0.00000E+00, A4=-5.12000E-05, A6=-2.39000E-06, A8= 2.19000E-08 
A10=-1.42000E-10 
第14面
K= 0.00000E+00, A4= 1.34000E-04, A6=-1.58000E-06, A8= 2.67000E-09 
A10= 2.13000E-10 
第15面
K= 3.54000E+00, A4= 1.09000E-04, A6= 1.00000E-07, A8= 1.06000E-08 
A10= 5.68000E-11 
【０１１５】
表  １５（各種データ）
焦点距離      14.0001
Ｆナンバー     2.58048
画角        38.2841
像高        10.0000
レンズ全長     38.8990
ＢＦ        14.6225
【０１１６】
（数値実施例６）
数値実施例６の単焦点レンズ系は、図１１に示した実施の形態６に対応する。単焦点レンズ系の面データを表１６に、非球面データを表１７に、各種データを表１８に示す。
【０１１７】
表  １６（面データ）
面番号         r           d           nd         vd     有効径     
物面             ∞                                               
1         21.82300     0.70000     1.52300    70.1     6.202     
2*         7.99110     4.82290                         5.166     
3         -8.97820     0.45000     1.80610    33.3     4.165     
4        -24.09730     0.20000                         4.177     
5         19.09650     2.34010     1.80470    41.0     4.052     
6*       -11.76320    -0.20000                         3.838     
7(絞り)           ∞     5.19630                         3.536     
8               ∞     1.85980                         3.432     
9         -5.94310     0.45000     1.84666    23.8     3.722     
10        -24.33140     0.01000     1.56732    42.8     4.577     
11        -24.33140     2.76980     1.77250    49.6     4.584     
12         -7.43100     0.20000                         5.266     
13        119.25950     2.76100     1.80359    40.8     6.450     
14*       -15.01880     1.67020                         6.701     
15        -16.54680     0.50000     1.84666    23.8     6.822     
16        -26.16940        (BF)                         7.065     
像面             ∞                                               
【０１１８】
表  １７（非球面データ）
第2面
K= 0.00000E+00, A4=-5.70000E-06, A6=-3.23000E-06, A8= 1.68000E-07 
A10=-2.82000E-09 
第6面
K= 0.00000E+00, A4= 1.44000E-04, A6= 4.69000E-06, A8=-3.93000E-07 
A10= 1.19000E-08 
第14面
K= 0.00000E+00, A4= 7.94000E-05, A6= 2.04000E-07, A8=-2.42000E-09 
A10= 3.89000E-11 
【０１１９】
表  １８（各種データ）
焦点距離      13.6690
Ｆナンバー     2.58051
画角        38.8794
像高        10.0000
レンズ全長     38.1991
ＢＦ        14.4690
【０１２０】
（数値実施例７）
数値実施例７の単焦点レンズ系は、図１３に示した実施の形態７に対応する。単焦点レンズ系の面データを表１９に、非球面データを表２０に、各種データを表２１に示す。
【０１２１】
表  １９（面データ）
面番号         r           d           nd         vd     有効径     
物面             ∞                                               
1         40.00000     0.70000     1.58332    59.1     5.580     
2*         7.65380     2.71920                         4.609     
3        170.25310     0.45000     1.56732    42.8     4.223     
4          8.22820     0.01000     1.56732    42.8     3.920     
5          8.22820     2.32130     1.83481    42.7     3.918     
6        -43.96630     0.15140                         3.610     
7(絞り)           ∞     3.38920                         3.415     
8        -21.63750     1.36480     1.80420    46.5     3.515     
9        -11.92890     1.90510                         3.670     
10               ∞     1.80740                         3.881     
11         -7.06150     0.45000     1.84666    23.8     4.105     
12        -51.65670     0.01000     1.56732    42.8     4.969     
13        -51.65670     2.43920     1.80420    46.5     4.976     
14         -9.39430     0.20000                         5.500     
15*      -119.79880     2.81490     1.80359    40.8     6.293     
16*       -12.09290     1.40000                         6.669     
17        -33.07970     0.60000     1.80518    25.5     6.904     
18       -124.87890     0.70000                         7.066     
19               ∞        (BF)                         7.261     
像面             ∞                                               
【０１２２】
表  ２０（非球面データ）
第2面
K= 0.00000E+00, A4= 1.08000E-04, A6= 2.17000E-07, A8= 1.19000E-07 
A10= 2.02000E-10 
第15面
K= 0.00000E+00, A4=-7.68000E-05, A6=-5.84000E-07, A8= 1.26000E-09 
A10= 1.76000E-11 
第16面
K= 0.00000E+00, A4= 3.26000E-05, A6=-3.60000E-07, A8=-2.71000E-09 
A10= 3.41000E-11 
【０１２３】
表  ２１（各種データ）
焦点距離      14.4530
Ｆナンバー     2.58066
画角        37.3569
像高        10.0000
レンズ全長     37.7017
ＢＦ        14.2692
【０１２４】
（数値実施例８）
数値実施例８の単焦点レンズ系は、図１５に示した実施の形態８に対応する。単焦点レンズ系の面データを表２２に、非球面データを表２３に、各種データを表２４に示す。
【０１２５】
表  ２２（面データ）
面番号         r           d           nd         vd     有効径     
物面             ∞                                               
1         25.00000     0.70000     1.58332    59.1               
2*         6.81100     3.78330                                   
3        121.55370     0.45000     1.56732    42.8               
4         10.39870     0.01000     1.56732    42.8               
5         10.39870     1.81650     1.83481    42.7               
6        -45.37780     0.15960                                   
7(絞り)           ∞     3.37000                         3.375     
8        -21.94390     1.38200     1.80420    46.5     3.470     
9        -11.92890     2.53650                                   
10               ∞     1.45960                         4.148     
11         -9.36830     0.45000     1.84666    23.8               
12         54.74430     0.01000     1.56732    42.8               
13         54.74430     3.29280     1.80420    46.5               
14         -9.94250     0.20000                         5.788     
15        184.29540     1.50990     1.80359    40.8               
16*       -34.17850        (BF)                         8.275     
像面             ∞                                               
【０１２６】
表  ２３（非球面データ）
第2面
K= 0.00000E+00, A4= 2.31000E-05, A6= 5.94000E-06, A8=-3.37000E-07 
A10= 8.57000E-09 
第16面
K= 0.00000E+00, A4= 4.59000E-05, A6= 8.54000E-07, A8=-1.91000E-08 
A10= 1.88000E-10 
【０１２７】
表  ２４（各種データ）
焦点距離      13.5499
Ｆナンバー     2.57999
画角        39.1540
像高        10.0000
レンズ全長     37.6990
ＢＦ        16.5688
【０１２８】
（数値実施例９）
数値実施例９の単焦点レンズ系は、図１７に示した実施の形態９に対応する。単焦点レンズ系の面データを表２５に、非球面データを表２６に、各種データを表２７に示す。
【０１２９】
表  ２５（面データ）
面番号         r           d           nd         vd     有効径     
物面             ∞                                               
1         16.55180     0.50000     1.48749    70.4     7.242     
2          8.06330     5.16330                         6.115     
3        -58.30810     0.50000     1.48749    70.4     5.025     
4         12.56480     2.10650     1.83481    42.7     4.769     
5        -44.76210     0.89780                         4.258     
6(絞り)           ∞     2.50000                         3.370     
7               ∞     2.64140                         4.323     
8         -6.62060     0.50000     1.78472    25.7     3.697     
9       -210.76500     2.51650     1.77200    50.0     4.317     
10*        -7.59550     1.91680                         4.696     
11*        33.18920     2.95460     1.77200    50.0     6.901     
12*       -16.48880     1.20000                         7.057     
13*       -22.26660     0.70000     1.80359    40.8     7.089     
14        -99.91740        (BF)                         7.298     
像面             ∞                                               
【０１３０】
表  ２６（非球面データ）
第10面
K=-1.19000E-01, A4= 0.00000E+00, A6= 0.00000E+00, A8= 0.00000E+00 
A10= 0.00000E+00 
第11面
K= 0.00000E+00, A4=-5.59000E-06, A6=-1.27000E-06, A8= 2.70000E-08 
A10=-1.75000E-10 
第12面
K= 0.00000E+00, A4= 1.53000E-04, A6=-3.17000E-06, A8= 4.67000E-08 
A10=-2.88000E-10 
第13面
K= 0.00000E+00, A4= 1.11000E-04, A6=-2.04000E-06, A8= 2.35000E-08 
A10=-1.70000E-10 
【０１３１】
表  ２７（各種データ）
焦点距離      14.3237
Ｆナンバー     2.48056
画角        37.6271
像高        10.0000
レンズ全長     38.8990
ＢＦ        14.8021
【０１３２】
（数値実施例１０）
数値実施例１０の単焦点レンズ系は、図１９に示した実施の形態１０に対応する。単焦点レンズ系の面データを表２８に、非球面データを表２９に、各種データを表３０に示す。
【０１３３】
表  ２８（面データ）
面番号         r           d           nd         vd     有効径     
物面             ∞                                               
1         24.05310     0.50000     1.65308    58.3               
2          7.28060     2.18000                         5.268     
3         55.65140     0.50000     1.59789    61.6               
4         13.18230     0.20000                                   
5          8.72130     2.75560     1.80422    46.5               
6        -95.32570     1.10550                         4.451     
7(絞り)           ∞     4.74140                         3.259     
8         -5.26930     0.50000     1.72218    28.1     3.089     
9        -43.90900     0.01000     1.56732    42.8               
10        -43.90900     2.39310     1.77200    50.0               
11*        -6.50630     2.03400                         6.487     
12*        30.56100     3.61020     1.59000    59.0     6.856     
13*       -13.82650     1.20000                                   
14*       -29.79900     0.70000     1.68900    31.0               
15               ∞        (BF)                                   
像面             ∞                                               
【０１３４】
表  ２９（非球面データ）
第11面
K= 0.00000E+00, A4= 2.44000E-04, A6=-9.62000E-07, A8= 1.11000E-07 
A10= 3.72000E-09 
第12面
K= 0.00000E+00, A4= 1.25000E-04, A6=-6.25000E-06, A8= 8.97000E-08 
A10=-4.04000E-10 
第13面
K= 0.00000E+00, A4= 2.18000E-04, A6=-7.76000E-06, A8= 9.95000E-08 
A10=-3.61000E-10 
第14面
K= 0.00000E+00, A4= 1.60000E-04, A6=-6.60000E-06, A8= 1.07000E-07 
A10=-6.59000E-10 
【０１３５】
表  ３０（各種データ）
焦点距離      14.4903
Ｆナンバー     2.58012
画角        37.1889
像高        10.0000
レンズ全長     36.8994
ＢＦ        14.4696
【０１３６】
以下の表３１に、各数値実施例の単焦点レンズ系における各条件の対応値を示す。
【０１３７】
表  ３１（条件の対応値）
【表１】
2012026069.tif 000004
【産業上の利用可能性】
【０１３８】
本発明に係る単焦点レンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０１３９】
Ｇ１    前方レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ａ      開口絞り
Ｓ      像面
１００  カメラシステム
１０１  カメラ本体
１０２  撮像素子
１０３  液晶モニタ
１０４  カメラマウント部
２０１  交換レンズ装置
２０２  単焦点レンズ系
２０３  鏡筒
２０４  レンズマウント部
【図１】
2012026069.tif 000005
【図２】
2012026069.tif 000006
【図３】
2012026069.tif 000007
【図４】
2012026069.tif 000008
【図５】
2012026069.tif 000009
【図６】
2012026069.tif 000010
【図７】
2012026069.tif 000011
【図８】
2012026069.tif 000012
【図９】
2012026069.tif 000013
【図１０】
2012026069.tif 000014
【図１１】
2012026069.tif 000015
【図１２】
2012026069.tif 000016
【図１３】
2012026069.tif 000017
【図１４】
2012026069.tif 000018
【図１５】
2012026069.tif 000019
【図１６】
2012026069.tif 000020
【図１７】
2012026069.tif 000021
【図１８】
2012026069.tif 000022
【図１９】
2012026069.tif 000023
【図２０】
2012026069.tif 000024
【図２１】
2012026069.tif 000025
【手続補正書】
【提出日】平成25年1月10日(2013.1.10)
【手続補正１】
【補正対象書類名】明細書
【補正対象項目名】全文
【補正方法】変更
【補正の内容】
【発明の詳細な説明】
【技術分野】
【０００１】
本発明は、単焦点レンズ系、交換レンズ装置及びカメラシステムに関する。特に本発明は、いわゆるレンズ交換式デジタルカメラシステムの撮像レンズ系として好適な単焦点レンズ系、該単焦点レンズ系を用いた交換レンズ装置及びカメラシステムに関する。
【背景技術】
【０００２】
近年、レンズ交換式デジタルカメラシステムが急速に普及している。レンズ交換式デジタルカメラシステム（以下、単に「カメラシステム」ともいう）は、ＣＣＤ（Ｃｈａｒｇｅ  Ｃｏｕｐｌｅｄ  Ｄｅｖｉｃｅ）、ＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の撮像素子を有するカメラ本体と、撮像素子の受光面に光学像を形成するための撮像レンズ系を備えた交換レンズ装置とを備える。
【０００３】
レンズ交換式デジタルカメラシステムには、コンパクト型デジタルカメラに搭載されるものよりも大型の撮像素子が用いられるので、高感度で高画質な画像を撮影することができる。また、レンズ交換式デジタルカメラシステムには、フォーカシングや撮影後の画像処理が高速で、撮りたい場面に合わせて手軽に交換レンズ装置を取り替えることができる等の利点もある。
【０００４】
さらに、単焦点レンズ系を備えた交換レンズ装置は、焦点距離が可変のズームレンズ系を備えた交換レンズ装置と比べると、軽量でコンパクトながら、背景のぼかし効果が大きい写真を撮影することができる点で人気がある。したがって、従来より、例えば特開平０６−１３０２９１号公報及び特開２００４−０２９６４１号公報に開示された単焦点レンズ系のように、レンズ交換式デジタルカメラシステムの撮像レンズ系として利用し得る単焦点レンズ系が種々提案されている。
【先行技術文献】
【特許文献】
【０００５】
【特許文献１】特開平０６−１３０２９１号公報
【特許文献２】特開２００４−０２９６４１号公報
【発明の概要】
【発明が解決しようとする課題】
【０００６】
レンズ交換式デジタルカメラシステムには、上述した様々な利点がある一方で、コンパクト型デジタルカメラと比べると、サイズや重量が大きい。また、フォーカシングを高速でかつ静かに行うためには、レンズ系の前方群を固定し、後方群の一部をフォーカシングモータにて直接駆動させる、ダイレクト駆動式インナーフォーカスの実現が好ましいが、小型化と軽量化との両立が困難である。
【０００７】
本発明の目的は、レンズ交換式デジタルカメラシステムに好適に用いることができ、高速かつ静音でのフォーカシングが可能なインナーフォーカスを実現しつつ、小型で軽量な、結像性能に優れた単焦点レンズ系を提供することである。また、本発明の他の目的は、小型で軽量な交換レンズ装置及びカメラシステムを提供することである。
【課題を解決するための手段】
【０００８】
上記目的の１つは、以下の単焦点レンズ系により達成される。すなわち本発明は、
物体側から像側へと順に、前方レンズ群と、開口絞りと、複数のレンズ群で構成される後方レンズ群とからなり、
前記前方レンズ群が、
最物体側に配置され、負のパワーを有する負レンズ素子と、該負レンズ素子よりも像側に配置され、正のパワーを有する正レンズ素子とを含み、
３枚以下のレンズ素子で構成され、
無限遠合焦状態から近接物体合焦状態へのフォーカシングの際に、光軸に沿って移動せずに固定であり、
前記後方レンズ群が、
前記フォーカシングの際に光軸に沿って移動するフォーカシングレンズ群と、該フォーカシングの際に光軸に沿って移動せずに固定である固定レンズ群とを有し、
以下の条件（１）、（２）及び（３）：
０．４＜ｆＷ／ｆＧＦ＜１．５  ・・・（１）
０．９＜ｆＷ／Ｔ１＜４．５  ・・・（２）
−０．３＜ｆＷ／ｆＧ１＜０．３  ・・・（３）
（ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離、
ｆＧ１：前方レンズ群の焦点距離
である）
を満足する、単焦点レンズ系
に関する。
【０００９】
上記目的の１つは、以下の交換レンズ装置により達成される。すなわち本発明は、
物体側から像側へと順に、前方レンズ群と、開口絞りと、複数のレンズ群で構成される後方レンズ群とからなり、
前記前方レンズ群が、
最物体側に配置され、負のパワーを有する負レンズ素子と、該負レンズ素子よりも像側に配置され、正のパワーを有する正レンズ素子とを含み、
３枚以下のレンズ素子で構成され、
無限遠合焦状態から近接物体合焦状態へのフォーカシングの際に、光軸に沿って移動せずに固定であり、
前記後方レンズ群が、
前記フォーカシングの際に光軸に沿って移動するフォーカシングレンズ群と、該フォーカシングの際に光軸に沿って移動せずに固定である固定レンズ群とを有し、
以下の条件（１）、（２）及び（３）：
０．４＜ｆＷ／ｆＧＦ＜１．５  ・・・（１）
０．９＜ｆＷ／Ｔ１＜４．５  ・・・（２）
−０．３＜ｆＷ／ｆＧ１＜０．３  ・・・（３）
（ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離、
ｆＧ１：前方レンズ群の焦点距離
である）
を満足する単焦点レンズ系と、
前記単焦点レンズ系が形成する光学像を受光して電気的な画像信号に変換する撮像素子を含むカメラ本体との接続が可能なレンズマウント部と
を備える、交換レンズ装置
に関する。
【００１０】
上記目的の１つは、以下のカメラシステムにより達成される。すなわち本発明は、
物体側から像側へと順に、前方レンズ群と、開口絞りと、複数のレンズ群で構成される後方レンズ群とからなり、
前記前方レンズ群が、
最物体側に配置され、負のパワーを有する負レンズ素子と、該負レンズ素子よりも像側に配置され、正のパワーを有する正レンズ素子とを含み、
３枚以下のレンズ素子で構成され、
無限遠合焦状態から近接物体合焦状態へのフォーカシングの際に、光軸に沿って移動せずに固定であり、
前記後方レンズ群が、
前記フォーカシングの際に光軸に沿って移動するフォーカシングレンズ群と、該フォーカシングの際に光軸に沿って移動せずに固定である固定レンズ群とを有し、
以下の条件（１）、（２）及び（３）：
０．４＜ｆＷ／ｆＧＦ＜１．５  ・・・（１）
０．９＜ｆＷ／Ｔ１＜４．５  ・・・（２）
−０．３＜ｆＷ／ｆＧ１＜０．３  ・・・（３）
（ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離、
ｆＧ１：前方レンズ群の焦点距離
である）
を満足する単焦点レンズ系、を含む交換レンズ装置と、
前記交換レンズ装置とカメラマウント部を介して着脱可能に接続され、前記単焦点レンズ系が形成する光学像を受光して電気的な画像信号に変換する撮像素子を含むカメラ本体と
を備える、カメラシステム
に関する。
【発明の効果】
【００１１】
本発明によれば、レンズ交換式デジタルカメラシステムに好適に用いることができ、高速かつ静音でのフォーカシングが可能なインナーフォーカスを実現しつつ、小型で軽量な、結像性能に優れた単焦点レンズ系、該単焦点レンズ系を含む、小型で軽量な交換レンズ装置及びカメラシステムを提供することができる。
【図面の簡単な説明】
【００１２】
【図１】実施の形態１（実施例１）に係る単焦点レンズ系の無限遠合焦状態を示すレンズ配置図
【図２】実施例１に係る単焦点レンズ系の無限遠合焦状態の縦収差図
【図３】実施の形態２（実施例２）に係る単焦点レンズ系の無限遠合焦状態を示すレンズ配置図
【図４】実施例２に係る単焦点レンズ系の無限遠合焦状態の縦収差図
【図５】実施の形態３（実施例３）に係る単焦点レンズ系の無限遠合焦状態を示すレンズ配置図
【図６】実施例３に係る単焦点レンズ系の無限遠合焦状態の縦収差図
【図７】実施の形態４（実施例４）に係る単焦点レンズ系の無限遠合焦状態を示すレンズ配置図
【図８】実施例４に係る単焦点レンズ系の無限遠合焦状態の縦収差図
【図９】実施の形態５（実施例５）に係る単焦点レンズ系の無限遠合焦状態を示すレンズ配置図
【図１０】実施例５に係る単焦点レンズ系の無限遠合焦状態の縦収差図
【図１１】実施の形態６（実施例６）に係る単焦点レンズ系の無限遠合焦状態を示すレンズ配置図
【図１２】実施例６に係る単焦点レンズ系の無限遠合焦状態の縦収差図
【図１３】実施の形態７（実施例７）に係る単焦点レンズ系の無限遠合焦状態を示すレンズ配置図
【図１４】実施例７に係る単焦点レンズ系の無限遠合焦状態の縦収差図
【図１５】実施の形態８（実施例８）に係る単焦点レンズ系の無限遠合焦状態を示すレンズ配置図
【図１６】実施例８に係る単焦点レンズ系の無限遠合焦状態の縦収差図
【図１７】実施の形態９（実施例９）に係る単焦点レンズ系の無限遠合焦状態を示すレンズ配置図
【図１８】実施例９に係る単焦点レンズ系の無限遠合焦状態の縦収差図
【図１９】実施の形態１０（実施例１０）に係る単焦点レンズ系の無限遠合焦状態を示すレンズ配置図
【図２０】実施例１０に係る単焦点レンズ系の無限遠合焦状態の縦収差図
【図２１】実施の形態１１に係るレンズ交換式デジタルカメラシステムの概略構成図
【発明を実施するための形態】
【００１３】
図１、３、５、７、９、１１、１３、１５、１７及び１９は、各々実施の形態１〜１０に係る単焦点レンズ系のレンズ配置図であり、いずれも無限遠合焦状態にある単焦点レンズ系を表している。なお、本明細書において、実施の形態６は、参考の実施の形態である。
【００１４】
各図において、レンズ群に付された矢印は、無限遠合焦状態から近接物体合焦状態へのフォーカシングを表す。すなわち、図１、３、５、７、９及び１１では、後述するフォーカシングレンズ群Ｇ２が無限遠合焦状態から近接物体合焦状態へのフォーカシングの際に移動する方向を示しており、図１３、１５、１７及び１９では、後述するフォーカシングレンズ群Ｇ３が無限遠合焦状態から近接物体合焦状態へのフォーカシングの際に移動する方向を示している。
【００１５】
各図において、特定の面に付されたアスタリスク＊は、該面が非球面であることを示している。また各図において、各レンズ群の符号に付された記号（＋）及び記号（−）は、各レンズ群のパワーの符号に対応する。さらに各図において、最も右側に記載された直線は、像面Ｓの位置を表す。
【００１６】
実施の形態１〜１０に係る単焦点レンズ系は、物体側から像側へと順に、正のパワー又は負のパワーを有する前方レンズ群Ｇ１と、開口絞りＡと、後方レンズ群とを備える。
【００１７】
（実施の形態１）
図１に示すように、実施の形態１に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００１８】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００１９】
前記フォーカシングレンズ群Ｇ２は、物体側から像側へと順に、像側に凸面を向けた負メニスカス形状の第３レンズ素子Ｌ３と、像側に凸面を向けた正メニスカス形状の第４レンズ素子Ｌ４と、像側に強い凸面を向けた両凸形状の第５レンズ素子Ｌ５とからなる。第３レンズ素子Ｌ３と第４レンズ素子Ｌ４とは互いに接合されており、後述する対応数値実施例における面データでは、これら第３レンズ素子Ｌ３と第４レンズ素子Ｌ４との間の接着剤層に面番号８が付与されている。第５レンズ素子Ｌ５は、その両面が非球面である。
【００２０】
前記固定レンズ群Ｇ３は、像側に強い凹面を向けた両凹形状の第６レンズ素子Ｌ６のみからなる。第６レンズ素子Ｌ６は、その像側面が非球面である。
【００２１】
なお、開口絞りＡの像側にはフレアカッター絞りが設けられており、後述する対応数値実施例における面データでは、該フレアカッター絞りに面番号６が付与されている。
【００２２】
（実施の形態２）
図３に示すように、実施の形態２に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた正メニスカス形状の第２レンズ素子Ｌ２とからなる。第２レンズ素子Ｌ２は、その両面が非球面である。
【００２３】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００２４】
前記フォーカシングレンズ群Ｇ２は、物体側から像側へと順に、物体側に強い凹面を向けた両凹形状の第３レンズ素子Ｌ３と、像側に強い凸面を向けた両凸形状の第４レンズ素子Ｌ４と、像側に強い凸面を向けた両凸形状の第５レンズ素子Ｌ５とからなる。第３レンズ素子Ｌ３と第４レンズ素子Ｌ４とは互いに接合されている。第５レンズ素子Ｌ５は、その両面が非球面である。
【００２５】
前記固定レンズ群Ｇ３は、像側に強い凹面を向けた両凹形状の第６レンズ素子Ｌ６のみからなる。第６レンズ素子Ｌ６は、その物体側面が非球面である。
【００２６】
なお、開口絞りＡの像側にはフレアカッター絞りが設けられており、後述する対応数値実施例における面データでは、該フレアカッター絞りに面番号６が付与されている。
【００２７】
（実施の形態３）
図５に示すように、実施の形態３に係る単焦点レンズ系において、前方レンズ群Ｇ１は、無限遠合焦状態から近接物体合焦状態へのフォーカシングの際に光軸に沿って移動せずに固定であり、物体側から像側へと順に、像側に強い凹面を向けた両凹形状の第１レンズ素子Ｌ１と、物体側に強い凸面を向けた両凸形状の第２レンズ素子Ｌ２とからなる。第１レンズ素子Ｌ１は、その両面が非球面である。
【００２８】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００２９】
前記フォーカシングレンズ群Ｇ２は、物体側から像側へと順に、像側に凸面を向けた負メニスカス形状の第３レンズ素子Ｌ３と、像側に凸面を向けた正メニスカス形状の第４レンズ素子Ｌ４と、像側に強い凸面を向けた両凸形状の第５レンズ素子Ｌ５とからなる。第３レンズ素子Ｌ３と第４レンズ素子Ｌ４とは互いに接合されており、後述する対応数値実施例における面データでは、これら第３レンズ素子Ｌ３と第４レンズ素子Ｌ４との間の接着剤層に面番号８が付与されている。第５レンズ素子Ｌ５は、その両面が非球面である。
【００３０】
前記固定レンズ群Ｇ３は、物体側に凸面を向けた負メニスカス形状の第６レンズ素子Ｌ６のみからなる。第６レンズ素子Ｌ６は、その像側面が非球面である。
【００３１】
なお、開口絞りＡの像側にはフレアカッター絞りが設けられており、後述する対応数値実施例における面データでは、該フレアカッター絞りに面番号６が付与されている。
【００３２】
（実施の形態４）
図７に示すように、実施の形態４に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００３３】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００３４】
前記フォーカシングレンズ群Ｇ２は、物体側から像側へと順に、像側に凸面を向けた負メニスカス形状の第３レンズ素子Ｌ３と、像側に凸面を向けた正メニスカス形状の第４レンズ素子Ｌ４と、像側に強い凸面を向けた両凸形状の第５レンズ素子Ｌ５とからなる。第３レンズ素子Ｌ３と第４レンズ素子Ｌ４とは互いに接合されており、後述する対応数値実施例における面データでは、これら第３レンズ素子Ｌ３と第４レンズ素子Ｌ４との間の接着剤層に面番号８が付与されている。第５レンズ素子Ｌ５は、その両面が非球面である。
【００３５】
前記固定レンズ群Ｇ３は、像側に凸面を向けた負メニスカス形状の第６レンズ素子Ｌ６のみからなる。第６レンズ素子Ｌ６は、その物体側面が非球面である。
【００３６】
なお、開口絞りＡの像側にはフレアカッター絞りが設けられており、後述する対応数値実施例における面データでは、該フレアカッター絞りに面番号６が付与されている。
【００３７】
（実施の形態５）
図９に示すように、実施の形態５に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００３８】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００３９】
前記フォーカシングレンズ群Ｇ２は、物体側から像側へと順に、物体側に凸面を向けた正メニスカス形状の第３レンズ素子Ｌ３と、像側に凸面を向けた負メニスカス形状の第４レンズ素子Ｌ４と、像側に凸面を向けた正メニスカス形状の第５レンズ素子Ｌ５と、像側に強い凸面を向けた両凸形状の第６レンズ素子Ｌ６とからなる。第４レンズ素子Ｌ４と第５レンズ素子Ｌ５とは互いに接合されており、後述する対応数値実施例における面データでは、これら第４レンズ素子Ｌ４と第５レンズ素子Ｌ５との間の接着剤層に面番号１０が付与されている。第６レンズ素子Ｌ６は、その両面が非球面である。
【００４０】
前記固定レンズ群Ｇ３は、像側に凸面を向けた負メニスカス形状の第７レンズ素子Ｌ７のみからなる。第７レンズ素子Ｌ７は、その物体側面が非球面である。
【００４１】
なお、開口絞りＡの像側にはフレアカッター絞りが設けられており、後述する対応数値実施例における面データでは、該フレアカッター絞りに面番号６が付与されている。
【００４２】
（実施の形態６）
図１１に示すように、実施の形態６に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、像側に凸面を向けた負メニスカス形状の第２レンズ素子Ｌ２と、像側に強い凸面を向けた両凸形状の第３レンズ素子Ｌ３とからなる。第１レンズ素子Ｌ１は、その像側面が非球面であり、第３レンズ素子Ｌ３は、その像側面が非球面である。
【００４３】
後方レンズ群は、物体側から像側へと順に、正のパワーを有し、無限遠合焦状態から近接物体合焦状態へのフォーカシングの際に光軸に沿って物体側へ移動してフォーカシングを行うフォーカシングレンズ群Ｇ２と、負のパワーを有し、該フォーカシングの際に光軸に沿って移動せずに固定である固定レンズ群Ｇ３とからなる。
【００４４】
前記フォーカシングレンズ群Ｇ２は、物体側から像側へと順に、像側に凸面を向けた負メニスカス形状の第４レンズ素子Ｌ４と、像側に凸面を向けた正メニスカス形状の第５レンズ素子Ｌ５と、像側に強い凸面を向けた両凸形状の第６レンズ素子Ｌ６とからなる。第４レンズ素子Ｌ４と第５レンズ素子Ｌ５とは互いに接合されており、後述する対応数値実施例における面データでは、これら第４レンズ素子Ｌ４と第５レンズ素子Ｌ５との間の接着剤層に面番号１０が付与されている。第６レンズ素子Ｌ６は、その像側面が非球面である。
【００４５】
前記固定レンズ群Ｇ３は、像側に凸面を向けた負メニスカス形状の第７レンズ素子Ｌ７のみからなる。
【００４６】
なお、開口絞りＡの像側にはフレアカッター絞りが設けられており、後述する対応数値実施例における面データでは、該フレアカッター絞りに面番号８が付与されている。
【００４７】
（実施の形態７）
図１３に示すように、実施の形態７に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた負メニスカス形状の第２レンズ素子Ｌ２と、物体側に強い凸面を向けた両凸形状の第３レンズ素子Ｌ３とからなる。第２レンズ素子Ｌ２と第３レンズ素子Ｌ３とは互いに接合されており、後述する対応数値実施例における面データでは、これら第２レンズ素子Ｌ２と第３レンズ素子Ｌ３との間の接着剤層に面番号４が付与されている。第１レンズ素子Ｌ１は、その像側面が非球面である。
【００４８】
後方レンズ群は、物体側から像側へと順に、正のパワーを有し、無限遠合焦状態から近接物体合焦状態へのフォーカシングの際に光軸に沿って移動せずに固定である固定レンズ群Ｇ２と、正のパワーを有し、該フォーカシングの際に光軸に沿って物体側へ移動してフォーカシングを行うフォーカシングレンズ群Ｇ３と、負のパワーを有し、該フォーカシングの際に光軸に沿って移動せずに固定である固定レンズ群Ｇ４とからなる。
【００４９】
前記固定レンズ群Ｇ２は、像側に凸面を向けた正メニスカス形状の第４レンズ素子Ｌ４のみからなる。
【００５０】
前記フォーカシングレンズ群Ｇ３は、物体側から像側へと順に、像側に凸面を向けた負メニスカス形状の第５レンズ素子Ｌ５と、像側に凸面を向けた正メニスカス形状の第６レンズ素子Ｌ６と、像側に凸面を向けた正メニスカス形状の第７レンズ素子Ｌ７とからなる。第５レンズ素子Ｌ５と第６レンズ素子Ｌ６とは互いに接合されており、後述する対応数値実施例における面データでは、これら第５レンズ素子Ｌ５と第６レンズ素子Ｌ６との間の接着剤層に面番号１２が付与されている。第７レンズ素子Ｌ７は、その両面が非球面である。
【００５１】
前記固定レンズ群Ｇ４は、像側に凸面を向けた負メニスカス形状の第８レンズ素子Ｌ８のみからなる。
【００５２】
なお、開口絞りＡの像側にはフレアカッター絞りが２つ設けられており、後述する対応数値実施例における面データでは、これらのフレアカッター絞りに面番号１０及び１９が付与されている。
【００５３】
（実施の形態８）
図１５に示すように、実施の形態８に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた負メニスカス形状の第２レンズ素子Ｌ２と、物体側に強い凸面を向けた両凸形状の第３レンズ素子Ｌ３とからなる。第２レンズ素子Ｌ２と第３レンズ素子Ｌ３とは互いに接合されており、後述する対応数値実施例における面データでは、これら第２レンズ素子Ｌ２と第３レンズ素子Ｌ３との間の接着剤層に面番号４が付与されている。第１レンズ素子Ｌ１は、その像側面が非球面である。
【００５４】
後方レンズ群は、物体側から像側へと順に、正のパワーを有し、無限遠合焦状態から近接物体合焦状態へのフォーカシングの際に光軸に沿って移動せずに固定である固定レンズ群Ｇ２と、正のパワーを有し、該フォーカシングの際に光軸に沿って物体側へ移動してフォーカシングを行うフォーカシングレンズ群Ｇ３とからなる。
【００５５】
前記固定レンズ群Ｇ２は、像側に凸面を向けた正メニスカス形状の第４レンズ素子Ｌ４のみからなる。
【００５６】
前記フォーカシングレンズ群Ｇ３は、物体側から像側へと順に、物体側に強い凹面を向けた両凹形状の第５レンズ素子Ｌ５と、像側に強い凸面を向けた両凸形状の第６レンズ素子Ｌ６と、像側に強い凸面を向けた両凸形状の第７レンズ素子Ｌ７とからなる。第５レンズ素子Ｌ５と第６レンズ素子Ｌ６とは互いに接合されており、後述する対応数値実施例における面データでは、これら第５レンズ素子Ｌ５と第６レンズ素子Ｌ６との間の接着剤層に面番号１２が付与されている。第７レンズ素子Ｌ７は、その像側面が非球面である。
【００５７】
なお、開口絞りＡの像側にはフレアカッター絞りが設けられており、後述する対応数値実施例における面データでは、該フレアカッター絞りに面番号１０が付与されている。
【００５８】
（実施の形態９）
図１７に示すように、実施の形態９に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、像側に強い凹面を向けた両凹形状の第２レンズ素子Ｌ２と、物体側に強い凸面を向けた両凸形状の第３レンズ素子Ｌ３とからなる。第２レンズ素子Ｌ２と第３レンズ素子Ｌ３とは互いに接合されている。
【００５９】
後方レンズ群は、物体側から像側へと順に、正のパワーを有し、無限遠合焦状態から近接物体合焦状態へのフォーカシングの際に光軸に沿って移動せずに固定である固定レンズ群Ｇ２と、正のパワーを有し、該フォーカシングの際に光軸に沿って物体側へ移動してフォーカシングを行うフォーカシングレンズ群Ｇ３と、負のパワーを有し、該フォーカシングの際に光軸に沿って移動せずに固定である固定レンズ群Ｇ４とからなる。
【００６０】
前記固定レンズ群Ｇ２は、物体側から像側へと順に、像側に凸面を向けた負メニスカス形状の第４レンズ素子Ｌ４と、像側に凸面を向けた正メニスカス形状の第５レンズ素子Ｌ５とからなる。第４レンズ素子Ｌ４と第５レンズ素子Ｌ５とは互いに接合されている。第５レンズ素子Ｌ５は、その像側面が非球面である。
【００６１】
前記フォーカシングレンズ群Ｇ３は、像側に強い凸面を向けた両凸形状の第６レンズ素子Ｌ６のみからなる。第６レンズ素子Ｌ６は、その両面が非球面である。
【００６２】
前記固定レンズ群Ｇ４は、像側に凸面を向けた負メニスカス形状の第７レンズ素子Ｌ７のみからなる。第７レンズ素子Ｌ７は、その物体側面が非球面である。
【００６３】
なお、開口絞りＡの像側にはフレアカッター絞りが設けられており、後述する対応数値実施例における面データでは、該フレアカッター絞りに面番号７が付与されている。
【００６４】
（実施の形態１０）
図１９に示すように、実施の形態１０に係る単焦点レンズ系において、前方レンズ群Ｇ１は、無限遠合焦状態から近接物体合焦状態へのフォーカシングの際に光軸に沿って移動せずに固定であり、物体側から像側へと順に、物体側に凸面を向けた負メニスカス形状の第１レンズ素子Ｌ１と、物体側に凸面を向けた負メニスカス形状の第２レンズ素子Ｌ２と、物体側に強い凸面を向けた両凸形状の第３レンズ素子Ｌ３とからなる。
【００６５】
後方レンズ群は、物体側から像側へと順に、正のパワーを有し、無限遠合焦状態から近接物体合焦状態へのフォーカシングの際に光軸に沿って移動せずに固定である固定レンズ群Ｇ２と、正のパワーを有し、該フォーカシングの際に光軸に沿って物体側へ移動してフォーカシングを行うフォーカシングレンズ群Ｇ３と、負のパワーを有し、該フォーカシングの際に光軸に沿って移動せずに固定である固定レンズ群Ｇ４とからなる。
【００６６】
前記固定レンズ群Ｇ２は、物体側から像側へと順に、像側に凸面を向けた負メニスカス形状の第４レンズ素子Ｌ４と、像側に凸面を向けた正メニスカス形状の第５レンズ素子Ｌ５とからなる。第４レンズ素子Ｌ４と第５レンズ素子Ｌ５とは互いに接合されており、後述する対応数値実施例における面データでは、これら第４レンズ素子Ｌ４と第５レンズ素子Ｌ５との間の接着剤層に面番号９が付与されている。第５レンズ素子Ｌ５は、その像側面が非球面である。
【００６７】
前記フォーカシングレンズ群Ｇ３は、像側に強い凸面を向けた両凸形状の第６レンズ素子Ｌ６のみからなる。第６レンズ素子Ｌ６は、その両面が非球面である。
【００６８】
前記固定レンズ群Ｇ４は、物体側に凹面を向けた平凹形状の第７レンズ素子Ｌ７のみからなる。第７レンズ素子Ｌ７は、その物体側面が非球面である。
【００６９】
以下、例えば実施の形態１〜１０に係る単焦点レンズ系のごとき単焦点レンズ系が満足することが好ましい条件を説明する。なお、各実施の形態に係る単焦点レンズ系に対して、複数の好ましい条件が規定されるが、これら複数の条件すべてを満足する単焦点レンズ系の構成が最も望ましい。しかしながら、個別の条件を満足することにより、それぞれ対応する効果を奏する単焦点レンズ系を得ることも可能である。
【００７０】
例えば実施の形態１〜１０に係る単焦点レンズ系のように、物体側から像側へと順に、前方レンズ群と、開口絞りと、複数のレンズ群で構成される後方レンズ群とからなり、前記前方レンズ群が、最物体側に配置され、負のパワーを有する負レンズ素子と、該負レンズ素子よりも像側に配置され、正のパワーを有する正レンズ素子とを含み、３枚以下のレンズ素子で構成され、無限遠合焦状態から近接物体合焦状態へのフォーカシングの際に、光軸に沿って移動せずに固定であり、前記後方レンズ群が、前記フォーカシングの際に光軸に沿って移動するフォーカシングレンズ群と、該フォーカシングの際に光軸に沿って移動せずに固定である固定レンズ群とを有する（以下、このレンズ構成を、実施の形態の基本構成という）単焦点レンズ系は、以下の条件（１）及び（２）を満足する。
０．４＜ｆＷ／ｆＧＦ＜１．５  ・・・（１）
０．９＜ｆＷ／Ｔ１＜４．５  ・・・（２）
ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離
である。
【００７１】
前記条件（１）は、単焦点レンズ系全系の焦点距離と、フォーカシングレンズ群の焦点距離との関係を規定する条件である。条件（１）の上限を上回ると、フォーカシングレンズ群のパワーが強くなり、製造誤差に対する光学性能の劣化敏感度が高くなる。その結果、製造難易度が上昇し、製造コストが高くなる。逆に条件（１）の下限を下回ると、フォーカシングレンズ群の繰り出し量が大きくなり、レンズ系の全長が長くなる。
【００７２】
なお、以下の条件（１−１）’及び（１−１）’’の少なくとも１つを満足することにより、前記効果をさらに奏功させることができる。
０．６０＜ｆＷ／ｆＧＦ  ・・・（１−１）’
ｆＷ／ｆＧＦ＜１．３５  ・・・（１−１）’’
【００７３】
さらに、以下の条件（１−２）’及び（１−２）’’の少なくとも１つを満足することにより、前記効果をより一層奏功させることができる。
０．８＜ｆＷ／ｆＧＦ  ・・・（１−２）’
ｆＷ／ｆＧＦ＜１．２  ・・・（１−２）’’
【００７４】
前記条件（２）は、単焦点レンズ系全系の焦点距離と、単焦点レンズ系全系の最物体側のレンズ面から開口絞りまでの光軸上の距離との関係を規定する条件である。条件（２）の上限を上回ると、前方レンズ群の厚さが不足し、像周辺部の像面湾曲及びコマ収差の補正が不充分となる。逆に条件（２）の下限を下回ると、レンズ系の全長が長くなり、単焦点レンズ系の小型化が実現されない。
【００７５】
なお、以下の条件（２−１）’及び（２−１）’’の少なくとも１つを満足することにより、前記効果をさらに奏功させることができる。
１．２＜ｆＷ／Ｔ１  ・・・（２−１）’
ｆＷ／Ｔ１＜３．５  ・・・（２−１）’’
【００７６】
さらに、以下の条件（２−２）’及び（２−２）’’の少なくとも１つを満足することにより、前記効果をより一層奏功させることができる。
１．５＜ｆＷ／Ｔ１  ・・・（２−２）’
ｆＷ／Ｔ１＜２．５  ・・・（２−２）’’
【００７７】
例えば実施の形態１〜１０に係る単焦点レンズ系のように、基本構成を有する単焦点レンズ系は、さらに以下の条件（３）を満足する。
−０．３＜ｆＷ／ｆＧ１＜０．３  ・・・（３）
ここで、
ｆＷ：単焦点レンズ系全系の無限遠合焦状態での焦点距離、
ｆＧ１：前方レンズ群の焦点距離
である。
【００７８】
前記条件（３）は、単焦点レンズ系全系の焦点距離と、前方レンズ群の焦点距離との関係を規定する条件である。条件（３）の上限を上回ると、前方レンズ群の外径が大きくなって像周辺部のコマ収差の補正が困難となり、またレンズ系の全長が長くなる恐れがある。逆に条件（３）の下限を下回ると、樽型の歪曲収差が強く発生するほか、強いパワーのフォーカシングレンズ群が必要となり、製造誤差に対する敏感度が上昇する恐れがある。
【００７９】
なお、以下の条件（３−１）’を満足することにより、前記効果をさらに奏功させることができる。
−０．２＜ｆＷ／ｆＧ１  ・・・（３−１）’ 
【００８０】
さらに、以下の条件（３−２）’及び（３−２）’’の少なくとも１つを満足することにより、前記効果をより一層奏功させることができる。
−０．１０＜ｆＷ／ｆＧ１  ・・・（３−２）’
ｆＷ／ｆＧ１＜０．１５    ・・・（３−２）’’
【００８１】
例えば実施の形態１〜１０に係る単焦点レンズ系のように、基本構成を有する単焦点レンズ系は、前方レンズ群中の最物体側に配置された負レンズ素子が、以下の条件（４）を満足することが好ましい。
０．７＜（Ｒ１１＋Ｒ１２）／（Ｒ１１−Ｒ１２）＜３．５  ・・・（４）
ここで、
Ｒ１１：負レンズ素子の物体側レンズ面の曲率半径、
Ｒ１２：負レンズ素子の像側レンズ面の曲率半径
である。
【００８２】
前記条件（４）は、前方レンズ群中の最物体側、すなわち単焦点レンズ系の最物体側に配置された負レンズ素子の物体側レンズ面の曲率半径と、該負レンズ素子の像側レンズ面の曲率半径との関係を規定する条件である。条件（４）の上限を上回ると、像周辺部のコマ収差の補正が不充分となり、またレンズ系の全長が長くなる恐れがある。逆に条件（４）の下限を下回ると、樽型の歪曲収差の補正が不充分となる恐れがある。
【００８３】
なお、以下の条件（４−１）’及び（４−１）’’の少なくとも１つを満足することにより、前記効果をさらに奏功させることができる。
０．８＜（Ｒ１１＋Ｒ１２）／（Ｒ１１−Ｒ１２）  ・・・（４−１）’
（Ｒ１１＋Ｒ１２）／（Ｒ１１−Ｒ１２）＜２．６  ・・・（４−１）’’
【００８４】
さらに、以下の条件（４−２）’及び（４−２）’’の少なくとも１つを満足することにより、前記効果をより一層奏功させることができる。
０．９＜（Ｒ１１＋Ｒ１２）／（Ｒ１１−Ｒ１２）  ・・・（４−２）’
（Ｒ１１＋Ｒ１２）／（Ｒ１１−Ｒ１２）＜１．７  ・・・（４−２）’’
【００８５】
実施の形態１〜１０に係る単焦点レンズ系において、フォーカシングレンズ群が少なくとも１つの非球面を有しているので、球面収差及びコマ収差を、無限遠物点から近接物点にかけて良好に補正することができ、画面中心付近の性能を向上させている。
【００８６】
実施の形態１〜８に係る単焦点レンズ系において、前方レンズ群が少なくとも１つの非球面を有しているので、該前方レンズ群の光軸方向の厚みを小さくしながら、像周辺部の非点収差を良好に補正することができる。
【００８７】
なお、実施の形態１〜１０に係る単焦点レンズ系を構成している各レンズ群は、入射光線を屈折により偏向させる屈折型レンズ素子（すなわち、異なる屈折率を有する媒質同士の界面で偏向が行われるタイプのレンズ素子）のみで構成してもよいが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【００８８】
また、実施の形態１〜１０では明記していないが、像面Ｓとレンズ系との間に、光学的ローパスフィルタや撮像素子のフェースプレート等の実質的なパワーを有さない平行平板や、撮像素子の開口効率を上昇させるためのマイクロレンズアレイが設けられていてもよい。
【００８９】
（実施の形態１１）
図２１は、実施の形態１１に係るレンズ交換式デジタルカメラシステムの概略構成図である。
【００９０】
本実施の形態１１に係るレンズ交換式デジタルカメラシステム１００は、カメラ本体１０１と、カメラ本体１０１に着脱自在に接続される交換レンズ装置２０１とを備える。
【００９１】
カメラ本体１０１は、交換レンズ装置２０１の単焦点レンズ系２０２によって形成される光学像を受光して、電気的な画像信号に変換する撮像素子１０２と、撮像素子１０２によって変換された画像信号を表示する液晶モニタ１０３と、カメラマウント部１０４とを含む。一方、交換レンズ装置２０１は、実施の形態１〜１０いずれかに係る単焦点レンズ系２０２と、単焦点レンズ系２０２を保持する鏡筒２０３と、カメラ本体のカメラマウント部１０４に接続されるレンズマウント部２０４とを含む。カメラマウント部１０４及びレンズマウント部２０４は、物理的な接続のみならず、カメラ本体１０１内のコントローラ（図示せず）と交換レンズ装置２０１内のコントローラ（図示せず）とを電気的に接続し、相互の信号のやり取りを可能とするインターフェースとしても機能する。なお、図２１においては、単焦点レンズ系２０２として実施の形態１に係る単焦点レンズ系を用いた場合を図示している。
【００９２】
本実施の形態１１では、実施の形態１〜１０いずれかに係る単焦点レンズ系２０２を用いているので、コンパクトで結像性能に優れた交換レンズ装置を低コストで実現することができる。また、本実施の形態１１に係るカメラシステム１００全体の小型化及び低コスト化も達成することができる。
【００９３】
以下、実施の形態１〜１０に係る単焦点レンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、νｄはｄ線に対するアッベ数である。また、各数値実施例において、＊印を付した面は非球面であり、非球面形状は次式で定義している。
【数１】
2012026069.tif 000026
ここで、
Ｚ：光軸からの高さがｈの非球面上の点から、非球面頂点の接平面までの距離、
ｈ：光軸からの高さ、
ｒ：頂点曲率半径、
κ：円錐定数、
Ａｎ：ｎ次の非球面係数
である。なお、本明細書において、数値実施例（実施例）６は、数値参考例（参考例）である。
【００９４】
図２、４、６、８、１０、１２、１４、１６、１８及び２０は、各々数値実施例１〜１０に係る単焦点レンズ系の無限遠合焦状態の縦収差図である。
【００９５】
各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【００９６】
（数値実施例１）
数値実施例１の単焦点レンズ系は、図１に示した実施の形態１に対応する。単焦点レンズ系の面データを表１に、非球面データを表２に、各種データを表３に示す。
【００９７】
表  １（面データ）
面番号         r           d           nd         vd     有効径     
物面             ∞                                               
1*       150.13690     0.70000     1.58332    59.1     6.069     
2*         9.13930     1.58250                         5.160     
3         14.91730     1.73000     1.91082    35.2     4.829     
4        408.02380     1.86300                         5.036     
5(絞り)           ∞     3.28380                         3.110     
6               ∞     1.64960                         3.100     
7         -5.73120     0.50000     1.84666    23.8     3.396     
8        -35.00000     0.01000     1.56732    42.8     4.346     
9        -35.00000     2.83000     1.88300    40.8     4.353     
10         -8.35190     0.20000                         5.227     
11*        25.08330     4.58000     1.58250    59.4     7.073     
12*       -10.86000     1.45000                         7.371     
13       -611.69690     0.80000     1.68400    31.3     7.490     
14*        44.68010        (BF)                         7.526     
像面             ∞                                               
【００９８】
表  ２（非球面データ）
第1面
K= 0.00000E+00, A4=-3.85000E-05, A6= 1.82000E-06, A8=-9.53000E-08 
A10= 1.88000E-09, A12=-1.12000E-11 
第2面
K= 0.00000E+00, A4=-1.30000E-04, A6=-6.84000E-07, A8=-3.09000E-08 
A10=-2.92000E-09, A12= 9.26000E-11 
第11面
K= 0.00000E+00, A4=-1.88000E-05, A6=-7.59000E-07, A8= 2.03000E-08 
A10=-1.45000E-10, A12= 0.00000E+00 
第12面
K= 0.00000E+00, A4= 2.69000E-04, A6=-4.50000E-06, A8= 1.05000E-07 
A10=-1.05000E-09, A12= 4.67000E-12 
第14面
K= 0.00000E+00, A4=-9.05000E-05, A6= 4.19000E-06, A8=-8.41000E-08 
A10= 9.16000E-10, A12=-4.09000E-12 
【００９９】
表  ３（各種データ）
焦点距離      14.5457
Ｆナンバー     2.52134
画角        37.8597
像高        10.2000
レンズ全長     37.3188
ＢＦ        16.1399
【０１００】
（数値実施例２）
数値実施例２の単焦点レンズ系は、図３に示した実施の形態２に対応する。単焦点レンズ系の面データを表４に、非球面データを表５に、各種データを表６に示す。
【０１０１】
表  ４（面データ）
面番号         r           d           nd         vd     有効径     
物面             ∞                                               
1         51.95710     0.50000     1.48749    70.4     8.440     
2          9.15460     3.31060                         6.897     
3*        15.40980     2.62080     1.80825    40.9     6.410     
4*        68.26990     3.98100                         6.249     
5(絞り)           ∞     3.56320                         3.123     
6               ∞     1.57460                         3.188     
7         -6.12570     0.50000     1.75211    25.0     3.462     
8        229.16700     2.75880     1.88300    40.8     4.557     
9        -10.18170     0.20000                         5.308     
10*        32.73300     4.21140     1.66547    55.2     6.772     
11*       -11.63770     2.42630                         7.126     
12*      -286.45650     0.90000     1.68400    31.3     7.472     
13         53.16900        (BF)                         7.416     
像面             ∞                                               
【０１０２】
表  ５（非球面データ）
第3面
K= 0.00000E+00, A4= 1.99000E-05, A6= 4.70000E-06, A8=-1.98000E-07 
A10= 3.95000E-09, A12=-3.40000E-11, A14= 0.00000E+00 
第4面
K= 0.00000E+00, A4=-4.01000E-05, A6= 1.06000E-05, A8=-8.67000E-07 
A10= 3.37000E-08, A12=-6.64000E-10, A14= 5.11000E-12 
第10面
K= 0.00000E+00, A4=-2.71000E-05, A6= 9.65000E-07, A8=-2.36000E-08 
A10= 1.99000E-10, A12= 0.00000E+00, A14= 0.00000E+00 
第11面
K= 0.00000E+00, A4= 1.72000E-04, A6=-7.87000E-07, A8= 3.15000E-08 
A10=-5.60000E-10, A12= 4.20000E-12, A14= 0.00000E+00 
第12面
K= 0.00000E+00, A4= 3.96000E-05, A6=-1.24000E-06, A8= 1.41000E-08 
A10=-8.76000E-11, A12= 2.33000E-13, A14= 0.00000E+00 
【０１０３】
表  ６（各種データ）
焦点距離      14.4998
Ｆナンバー     2.58001
画角        37.2105
像高        10.0000
レンズ全長     41.6988
ＢＦ        15.1521
【０１０４】
（数値実施例３）
数値実施例３の単焦点レンズ系は、図５に示した実施の形態３に対応する。単焦点レンズ系の面データを表７に、非球面データを表８に、各種データを表９に示す。
【０１０５】
表  ７（面データ）
面番号         r           d           nd         vd     有効径     
物面             ∞                                               
1*      -303.92490     0.70000     1.58332    59.1     5.970     
2*        12.88600     2.34940                         5.237     
3         21.67310     1.47070     1.90366    31.3     4.500     
4       -106.29270     1.35180                         4.979     
5(絞り)           ∞     3.46350                         3.098     
6               ∞     1.74370                         3.082     
7         -5.56740     0.50000     1.75211    25.0     3.416     
8        -48.00860     0.01000     1.56732    42.8     4.453     
9        -48.00860     2.81780     1.80420    46.5     4.460     
10         -8.60140     0.20000                         5.287     
11*        35.42730     4.30000     1.66547    55.2     6.895     
12*       -10.81740     1.60000                         7.239     
13        244.83460     0.80000     1.68400    31.3     7.333     
14*        30.30140        (BF)                         7.336     
像面             ∞                                               
【０１０６】
表  ８（非球面データ）
第1面
K= 0.00000E+00, A4= 5.18000E-05, A6=-6.56000E-06, A8= 2.59000E-07 
A10=-5.38000E-09, A12= 4.54000E-11 
第2面
K= 0.00000E+00, A4= 3.56000E-05, A6=-1.33000E-05, A8= 6.63000E-07 
A10=-1.85000E-08, A12= 2.11000E-10 
第11面
K= 0.00000E+00, A4=-2.67000E-05, A6=-5.47000E-07, A8= 1.31000E-08 
A10=-7.08000E-11, A12= 0.00000E+00 
第12面
K= 0.00000E+00, A4= 2.16000E-04, A6=-3.18000E-06, A8= 7.85000E-08 
A10=-8.44000E-10, A12= 4.55000E-12 
第14面
K= 0.00000E+00, A4=-7.15000E-05, A6= 3.59000E-06, A8=-7.29000E-08 
A10= 7.96000E-10, A12=-3.52000E-12 
【０１０７】
表  ９（各種データ）
焦点距離      14.5502
Ｆナンバー     2.58104
画角        37.1364
像高        10.0000
レンズ全長     37.1796
ＢＦ        15.8727
【０１０８】
（数値実施例４）
数値実施例４の単焦点レンズ系は、図７に示した実施の形態４に対応する。単焦点レンズ系の面データを表１０に、非球面データを表１１に、各種データを表１２に示す。
【０１０９】
表  １０（面データ）
面番号         r           d           nd         vd     有効径     
物面             ∞                                               
1*        41.90990     0.70000     1.60602    57.4     7.016     
2*         8.23160     3.24320                         5.848     
3         12.63910     2.01080     1.80450    39.6     5.110     
4        112.86900     2.01980                         4.716     
5(絞り)           ∞     3.68080                         3.250     
6               ∞     1.69840                         3.250     
7         -5.76040     0.45000     1.74077    27.8     3.483     
8        -87.78370     0.01000     1.56732    42.8     4.346     
9        -87.78370     2.65120     1.80420    46.5     4.352     
10         -8.16850     0.20000                         5.027     
11*        24.50540     4.40000     1.60602    57.4     6.568     
12*       -11.06420     1.88940                         6.900     
13*       -19.98820     0.70000     1.68400    31.3     6.955     
14       -105.11770        (BF)                         7.203     
像面             ∞                                               
【０１１０】
表  １１（非球面データ）
第1面
K= 0.00000E+00, A4=-1.85000E-04, A6= 4.42000E-06, A8=-5.27000E-08 
A10= 2.86000E-10 
第2面
K= 0.00000E+00, A4=-2.87000E-04, A6=-3.56000E-07, A8= 6.41000E-08 
A10=-1.14000E-09 
第11面
K= 0.00000E+00, A4=-6.37000E-05, A6= 3.64000E-07, A8=-2.81000E-09 
A10= 3.77000E-11 
第12面
K= 0.00000E+00, A4= 1.47000E-04, A6= 8.71000E-07, A8=-1.25000E-08 
A10= 1.53000E-10 
第13面
K= 2.83000E+00, A4= 5.75000E-05, A6= 7.16000E-07, A8=-7.82000E-09 
A10= 8.78000E-11 
【０１１１】
表  １２（各種データ）
焦点距離      14.4499
Ｆナンバー     2.58048
画角        37.2974
像高        10.0000
レンズ全長     38.6988
ＢＦ        15.0452
【０１１２】
（数値実施例５）
数値実施例５の単焦点レンズ系は、図９に示した実施の形態５に対応する。単焦点レンズ系の面データを表１３に、非球面データを表１４に、各種データを表１５に示す。
【０１１３】
表  １３（面データ）
面番号         r           d           nd         vd     有効径     
物面             ∞                                               
1*        40.00000     0.70000     1.60602    57.4     6.535     
2*         7.04530     2.53080                         5.259     
3         10.60920     1.63120     1.83400    37.3     4.765     
4         23.14870     2.21040                         4.390     
5(絞り)           ∞     2.10000                         3.281     
6               ∞     1.75670                         3.400     
7         11.27990     1.81650     1.83400    37.3     3.612     
8         18.92380     2.59870                         3.769     
9         -7.65990     0.45000     1.80351    25.0     4.153     
10       -307.35450     0.01000     1.56732    42.8     5.013     
11       -307.35450     2.96380     1.80300    46.5     5.019     
12         -9.09880     0.20000                         5.595     
13*        23.00030     2.92800     1.60602    57.4     6.624     
14*       -18.26310     1.68040                         6.800     
15*       -19.14590     0.70000     1.68400    31.3     6.946     
16        -47.67650        (BF)                         7.199     
像面             ∞                                               
【０１１４】
表  １４（非球面データ）
第1面
K= 0.00000E+00, A4=-2.18000E-04, A6= 8.96000E-06, A8=-1.17000E-07 
A10= 5.89000E-10 
第2面
K= 0.00000E+00, A4=-3.26000E-04, A6=-2.44000E-06, A8= 3.94000E-07 
A10=-7.49000E-09 
第13面
K= 0.00000E+00, A4=-5.12000E-05, A6=-2.39000E-06, A8= 2.19000E-08 
A10=-1.42000E-10 
第14面
K= 0.00000E+00, A4= 1.34000E-04, A6=-1.58000E-06, A8= 2.67000E-09 
A10= 2.13000E-10 
第15面
K= 3.54000E+00, A4= 1.09000E-04, A6= 1.00000E-07, A8= 1.06000E-08 
A10= 5.68000E-11 
【０１１５】
表  １５（各種データ）
焦点距離      14.0001
Ｆナンバー     2.58048
画角        38.2841
像高        10.0000
レンズ全長     38.8990
ＢＦ        14.6225
【０１１６】
（数値実施例６）
数値実施例６の単焦点レンズ系は、図１１に示した実施の形態６に対応する。単焦点レンズ系の面データを表１６に、非球面データを表１７に、各種データを表１８に示す。
【０１１７】
表  １６（面データ）
面番号         r           d           nd         vd     有効径     
物面             ∞                                               
1         21.82300     0.70000     1.52300    70.1     6.202     
2*         7.99110     4.82290                         5.166     
3         -8.97820     0.45000     1.80610    33.3     4.165     
4        -24.09730     0.20000                         4.177     
5         19.09650     2.34010     1.80470    41.0     4.052     
6*       -11.76320    -0.20000                         3.838     
7(絞り)           ∞     5.19630                         3.536     
8               ∞     1.85980                         3.432     
9         -5.94310     0.45000     1.84666    23.8     3.722     
10        -24.33140     0.01000     1.56732    42.8     4.577     
11        -24.33140     2.76980     1.77250    49.6     4.584     
12         -7.43100     0.20000                         5.266     
13        119.25950     2.76100     1.80359    40.8     6.450     
14*       -15.01880     1.67020                         6.701     
15        -16.54680     0.50000     1.84666    23.8     6.822     
16        -26.16940        (BF)                         7.065     
像面             ∞                                               
【０１１８】
表  １７（非球面データ）
第2面
K= 0.00000E+00, A4=-5.70000E-06, A6=-3.23000E-06, A8= 1.68000E-07 
A10=-2.82000E-09 
第6面
K= 0.00000E+00, A4= 1.44000E-04, A6= 4.69000E-06, A8=-3.93000E-07 
A10= 1.19000E-08 
第14面
K= 0.00000E+00, A4= 7.94000E-05, A6= 2.04000E-07, A8=-2.42000E-09 
A10= 3.89000E-11 
【０１１９】
表  １８（各種データ）
焦点距離      13.6690
Ｆナンバー     2.58051
画角        38.8794
像高        10.0000
レンズ全長     38.1991
ＢＦ        14.4690
【０１２０】
（数値実施例７）
数値実施例７の単焦点レンズ系は、図１３に示した実施の形態７に対応する。単焦点レンズ系の面データを表１９に、非球面データを表２０に、各種データを表２１に示す。
【０１２１】
表  １９（面データ）
面番号         r           d           nd         vd     有効径     
物面             ∞                                               
1         40.00000     0.70000     1.58332    59.1     5.580     
2*         7.65380     2.71920                         4.609     
3        170.25310     0.45000     1.56732    42.8     4.223     
4          8.22820     0.01000     1.56732    42.8     3.920     
5          8.22820     2.32130     1.83481    42.7     3.918     
6        -43.96630     0.15140                         3.610     
7(絞り)           ∞     3.38920                         3.415     
8        -21.63750     1.36480     1.80420    46.5     3.515     
9        -11.92890     1.90510                         3.670     
10               ∞     1.80740                         3.881     
11         -7.06150     0.45000     1.84666    23.8     4.105     
12        -51.65670     0.01000     1.56732    42.8     4.969     
13        -51.65670     2.43920     1.80420    46.5     4.976     
14         -9.39430     0.20000                         5.500     
15*      -119.79880     2.81490     1.80359    40.8     6.293     
16*       -12.09290     1.40000                         6.669     
17        -33.07970     0.60000     1.80518    25.5     6.904     
18       -124.87890     0.70000                         7.066     
19               ∞        (BF)                         7.261     
像面             ∞                                               
【０１２２】
表  ２０（非球面データ）
第2面
K= 0.00000E+00, A4= 1.08000E-04, A6= 2.17000E-07, A8= 1.19000E-07 
A10= 2.02000E-10 
第15面
K= 0.00000E+00, A4=-7.68000E-05, A6=-5.84000E-07, A8= 1.26000E-09 
A10= 1.76000E-11 
第16面
K= 0.00000E+00, A4= 3.26000E-05, A6=-3.60000E-07, A8=-2.71000E-09 
A10= 3.41000E-11 
【０１２３】
表  ２１（各種データ）
焦点距離      14.4530
Ｆナンバー     2.58066
画角        37.3569
像高        10.0000
レンズ全長     37.7017
ＢＦ        14.2692
【０１２４】
（数値実施例８）
数値実施例８の単焦点レンズ系は、図１５に示した実施の形態８に対応する。単焦点レンズ系の面データを表２２に、非球面データを表２３に、各種データを表２４に示す。
【０１２５】
表  ２２（面データ）
面番号         r           d           nd         vd     有効径     
物面             ∞                                               
1         25.00000     0.70000     1.58332    59.1               
2*         6.81100     3.78330                                   
3        121.55370     0.45000     1.56732    42.8               
4         10.39870     0.01000     1.56732    42.8               
5         10.39870     1.81650     1.83481    42.7               
6        -45.37780     0.15960                                   
7(絞り)           ∞     3.37000                         3.375     
8        -21.94390     1.38200     1.80420    46.5     3.470     
9        -11.92890     2.53650                                   
10               ∞     1.45960                         4.148     
11         -9.36830     0.45000     1.84666    23.8               
12         54.74430     0.01000     1.56732    42.8               
13         54.74430     3.29280     1.80420    46.5               
14         -9.94250     0.20000                         5.788     
15        184.29540     1.50990     1.80359    40.8               
16*       -34.17850        (BF)                         8.275     
像面             ∞                                               
【０１２６】
表  ２３（非球面データ）
第2面
K= 0.00000E+00, A4= 2.31000E-05, A6= 5.94000E-06, A8=-3.37000E-07 
A10= 8.57000E-09 
第16面
K= 0.00000E+00, A4= 4.59000E-05, A6= 8.54000E-07, A8=-1.91000E-08 
A10= 1.88000E-10 
【０１２７】
表  ２４（各種データ）
焦点距離      13.5499
Ｆナンバー     2.57999
画角        39.1540
像高        10.0000
レンズ全長     37.6990
ＢＦ        16.5688
【０１２８】
（数値実施例９）
数値実施例９の単焦点レンズ系は、図１７に示した実施の形態９に対応する。単焦点レンズ系の面データを表２５に、非球面データを表２６に、各種データを表２７に示す。
【０１２９】
表  ２５（面データ）
面番号         r           d           nd         vd     有効径     
物面             ∞                                               
1         16.55180     0.50000     1.48749    70.4     7.242     
2          8.06330     5.16330                         6.115     
3        -58.30810     0.50000     1.48749    70.4     5.025     
4         12.56480     2.10650     1.83481    42.7     4.769     
5        -44.76210     0.89780                         4.258     
6(絞り)           ∞     2.50000                         3.370     
7               ∞     2.64140                         4.323     
8         -6.62060     0.50000     1.78472    25.7     3.697     
9       -210.76500     2.51650     1.77200    50.0     4.317     
10*        -7.59550     1.91680                         4.696     
11*        33.18920     2.95460     1.77200    50.0     6.901     
12*       -16.48880     1.20000                         7.057     
13*       -22.26660     0.70000     1.80359    40.8     7.089     
14        -99.91740        (BF)                         7.298     
像面             ∞                                               
【０１３０】
表  ２６（非球面データ）
第10面
K=-1.19000E-01, A4= 0.00000E+00, A6= 0.00000E+00, A8= 0.00000E+00 
A10= 0.00000E+00 
第11面
K= 0.00000E+00, A4=-5.59000E-06, A6=-1.27000E-06, A8= 2.70000E-08 
A10=-1.75000E-10 
第12面
K= 0.00000E+00, A4= 1.53000E-04, A6=-3.17000E-06, A8= 4.67000E-08 
A10=-2.88000E-10 
第13面
K= 0.00000E+00, A4= 1.11000E-04, A6=-2.04000E-06, A8= 2.35000E-08 
A10=-1.70000E-10 
【０１３１】
表  ２７（各種データ）
焦点距離      14.3237
Ｆナンバー     2.48056
画角        37.6271
像高        10.0000
レンズ全長     38.8990
ＢＦ        14.8021
【０１３２】
（数値実施例１０）
数値実施例１０の単焦点レンズ系は、図１９に示した実施の形態１０に対応する。単焦点レンズ系の面データを表２８に、非球面データを表２９に、各種データを表３０に示す。
【０１３３】
表  ２８（面データ）
面番号         r           d           nd         vd     有効径     
物面             ∞                                               
1         24.05310     0.50000     1.65308    58.3               
2          7.28060     2.18000                         5.268     
3         55.65140     0.50000     1.59789    61.6               
4         13.18230     0.20000                                   
5          8.72130     2.75560     1.80422    46.5               
6        -95.32570     1.10550                         4.451     
7(絞り)           ∞     4.74140                         3.259     
8         -5.26930     0.50000     1.72218    28.1     3.089     
9        -43.90900     0.01000     1.56732    42.8               
10        -43.90900     2.39310     1.77200    50.0               
11*        -6.50630     2.03400                         6.487     
12*        30.56100     3.61020     1.59000    59.0     6.856     
13*       -13.82650     1.20000                                   
14*       -29.79900     0.70000     1.68900    31.0               
15               ∞        (BF)                                   
像面             ∞                                               
【０１３４】
表  ２９（非球面データ）
第11面
K= 0.00000E+00, A4= 2.44000E-04, A6=-9.62000E-07, A8= 1.11000E-07 
A10= 3.72000E-09 
第12面
K= 0.00000E+00, A4= 1.25000E-04, A6=-6.25000E-06, A8= 8.97000E-08 
A10=-4.04000E-10 
第13面
K= 0.00000E+00, A4= 2.18000E-04, A6=-7.76000E-06, A8= 9.95000E-08 
A10=-3.61000E-10 
第14面
K= 0.00000E+00, A4= 1.60000E-04, A6=-6.60000E-06, A8= 1.07000E-07 
A10=-6.59000E-10 
【０１３５】
表  ３０（各種データ）
焦点距離      14.4903
Ｆナンバー     2.58012
画角        37.1889
像高        10.0000
レンズ全長     36.8994
ＢＦ        14.4696
【０１３６】
以下の表３１に、各数値実施例の単焦点レンズ系における各条件の対応値を示す。
【０１３７】
表  ３１（条件の対応値）
【表１】
2012026069.tif 000027
【産業上の利用可能性】
【０１３８】
本発明に係る単焦点レンズ系は、デジタルスチルカメラ、デジタルビデオカメラ、携帯電話機器のカメラ、ＰＤＡ（Ｐｅｒｓｏｎａｌ  Ｄｉｇｉｔａｌ  Ａｓｓｉｓｔａｎｃｅ）のカメラ、監視システムにおける監視カメラ、Ｗｅｂカメラ、車載カメラ等に適用可能であり、特にデジタルスチルカメラシステム、デジタルビデオカメラシステムといった高画質が要求される撮影光学系に好適である。
【符号の説明】
【０１３９】
Ｇ１    前方レンズ群
Ｌ１    第１レンズ素子
Ｌ２    第２レンズ素子
Ｌ３    第３レンズ素子
Ｌ４    第４レンズ素子
Ｌ５    第５レンズ素子
Ｌ６    第６レンズ素子
Ｌ７    第７レンズ素子
Ｌ８    第８レンズ素子
Ａ      開口絞り
Ｓ      像面
１００  カメラシステム
１０１  カメラ本体
１０２  撮像素子
１０３  液晶モニタ
１０４  カメラマウント部
２０１  交換レンズ装置
２０２  単焦点レンズ系
２０３  鏡筒
２０４  レンズマウント部
【手続補正２】
【補正対象書類名】特許請求の範囲
【補正対象項目名】全文
【補正方法】変更
【補正の内容】
【特許請求の範囲】
【請求項１】
物体側から像側へと順に、前方レンズ群と、開口絞りと、複数のレンズ群で構成される後方レンズ群とからなり、
前記前方レンズ群が、
最物体側に配置され、負のパワーを有する負レンズ素子と、該負レンズ素子よりも像側に配置され、正のパワーを有する正レンズ素子とを含み、
３枚以下のレンズ素子で構成され、
無限遠合焦状態から近接物体合焦状態へのフォーカシングの際に、光軸に沿って移動せずに固定であり、
前記後方レンズ群が、
前記フォーカシングの際に光軸に沿って移動するフォーカシングレンズ群と、該フォーカシングの際に光軸に沿って移動せずに固定である固定レンズ群とを有し、
以下の条件（１）、（２）及び（３）を満足する、単焦点レンズ系：
０．４＜ｆＷ／ｆＧＦ＜１．５  ・・・（１）
０．９＜ｆＷ／Ｔ１＜４．５  ・・・（２）
−０．３＜ｆＷ／ｆＧ１＜０．３  ・・・（３）
ここで、
ｆＷ：単焦点レンズ系全系の無限遠合焦状態での焦点距離、
ｆＧＦ：フォーカシングレンズ群の焦点距離、
Ｔ１：前方レンズ群中の負レンズ素子の物体側レンズ面から開口絞りまでの光軸上の距離、
ｆＧ１：前方レンズ群の焦点距離
である。
【請求項２】
前方レンズ群中の負レンズ素子が、以下の条件（４）を満足する、請求項１に記載の単焦点レンズ系：
０．７＜（Ｒ１１＋Ｒ１２）／（Ｒ１１−Ｒ１２）＜３．５  ・・・（４）
ここで、
Ｒ１１：負レンズ素子の物体側レンズ面の曲率半径、
Ｒ１２：負レンズ素子の像側レンズ面の曲率半径
である。
【請求項３】
フォーカシングレンズ群が、少なくとも１つの非球面を有する、請求項１に記載の単焦点レンズ系。
【請求項４】
前方レンズ群が、少なくとも１つの非球面を有する、請求項１に記載の単焦点レンズ系。
【請求項５】
請求項１に記載の単焦点レンズ系と、
前記単焦点レンズ系が形成する光学像を受光して電気的な画像信号に変換する撮像素子を含むカメラ本体との接続が可能なレンズマウント部と
を備える、交換レンズ装置。
【請求項６】
請求項１に記載の単焦点レンズ系を含む交換レンズ装置と、
前記交換レンズ装置とカメラマウント部を介して着脱可能に接続され、前記単焦点レンズ系が形成する光学像を受光して電気的な画像信号に変換する撮像素子を含むカメラ本体と
を備える、カメラシステム。
【手続補正３】
【補正対象書類名】図面
【補正対象項目名】全図
【補正方法】変更
【補正の内容】
【図１】
2012026069.tif 000028
【図２】
2012026069.tif 000029
【図３】
2012026069.tif 000030
【図４】
2012026069.tif 000031
【図５】
2012026069.tif 000032
【図６】
2012026069.tif 000033
【図７】
2012026069.tif 000034
【図８】
2012026069.tif 000035
【図９】
2012026069.tif 000036
【図１０】
2012026069.tif 000037
【図１１】
2012026069.tif 000038
【図１２】
2012026069.tif 000039
【図１３】
2012026069.tif 000040
【図１４】
2012026069.tif 000041
【図１５】
2012026069.tif 000042
【図１６】
2012026069.tif 000043
【図１７】
2012026069.tif 000044
【図１８】
2012026069.tif 000045
【図１９】
2012026069.tif 000046
【図２０】
2012026069.tif 000047
【図２１】
2012026069.tif 000048
【国際調査報告】
2012026069.tif 000049
2012026069.tif 000050
2012026069.tif 000051
2012026069.tif 000052